(57)【特許請求の範囲】
【請求項１】
ワイヤレス通信の方法であって、
接続モードである間、ユニキャストサービスの測定ギャップ中に測定を実行するために、サービングセルから構成を受信することと、および、
前記測定ギャップ中に、マルチキャスト／ブロードキャストサービスに関連付けられたマルチキャスト／ブロードキャストコンテンツを受信するために、第１の周波数上で前記サービングセルを離れることと、近隣セルの第２の周波数上で前記測定を実行することとを控えるかどうかを判断することと、
を備え、
前記サービングセルを離れることと、前記測定を実行することとを控えるかどうかの前記判断が、前記サービングセルの信号品質、ならびに、前記測定ギャップと、前記マルチキャスト／ブロードキャストコンテンツの制御／システム情報またはトラフィックデータのうちの少なくとも１つの受信との重複に基づき、
前記制御／システム情報の前記受信が、前記測定ギャップと重複し、および、前記信号品質が第１のしきい値よりも大きく、第２のしきい値以下であるとき、
前記測定ギャップ中に、前記サービングセルを離れることと、前記測定を実行することとを控えることと、
前記測定ギャップ中に、前記制御／システム情報を受信することと、
をさらに備える、方法。
【請求項２】
前記制御／システム情報または前記トラフィックデータのうちの前記少なくとも１つの前記受信が、前記測定ギャップと重複し、および、前記信号品質が前記第２のしきい値よりも大きいとき、
前記測定ギャップ中に、前記サービングセルを離れることと、前記測定を実行することとを控えることと、および、
前記測定ギャップ中に、前記制御／システム情報または前記トラフィックデータのうちの前記少なくとも１つを受信することと、
をさらに備える、請求項１に記載の方法。
【請求項３】
前記制御／システム情報または前記トラフィックデータのうちの前記少なくとも１つの前記受信が前記測定ギャップと重複し、および、前記信号品質が前記第１のしきい値以下であるとき、
前記測定ギャップ中に、前記制御／システム情報または前記トラフィックデータのうちの前記少なくとも１つを受信することを控えることと、および、
前記測定ギャップ中に、前記サービングセルを離れ、前記測定を実行することと、
をさらに備える、請求項１に記載の方法。
【請求項４】
前記マルチキャスト／ブロードキャストコンテンツの前記受信が前記測定ギャップと重複するとき、
前記測定ギャップ中に、前記サービングセルを離れることと、前記測定を実行することとを控えることと、および、
前記測定ギャップ中に、前記マルチキャスト／ブロードキャストコンテンツを受信することと、
をさらに備える、請求項１に記載の方法。
【請求項５】
前記サービングセルを離れることと、前記測定を実行することとを控えるかどうかの前記判断が、タイマーに基づく、請求項１に記載の方法。
【請求項６】
ワイヤレス通信の方法であって、
接続モードである間、ユニキャストサービスの測定ギャップ中に測定を実行するために、サービングセルから構成を受信することと、および、
前記測定ギャップ中に、マルチキャスト／ブロードキャストサービスに関連付けられたマルチキャスト／ブロードキャストコンテンツを受信するために、第１の周波数上で前記サービングセルを離れることと、近隣セルの第２の周波数上で前記測定を実行することとを控えるかどうかを判断することと、
を備え、
前記サービングセルを離れることと、前記測定を実行することとを控えるかどうかの前記判断が、前記サービングセルの信号品質、ならびに、前記測定ギャップと、前記マルチキャスト／ブロードキャストコンテンツの制御／システム情報またはトラフィックデータのうちの少なくとも１つの受信との重複に基づき、
前記トラフィックデータの前記受信が、前記測定ギャップと重複し、および、前記信号品質が第１のしきい値よりも大きく、第２のしきい値以下であるとき、
前記測定ギャップ中に、前記トラフィックデータを受信することを控えることと、および、前記測定ギャップ中に、前記サービングセルを離れ、前記測定を実行することと、
前記制御／システム情報または前記トラフィックデータのうちの少なくとも１つの前記受信が前記測定ギャップと重複し、および、前記信号品質が前記第１のしきい値以下であるとき、
前記測定ギャップ中に、前記制御／システム情報または前記トラフィックデータのうちの少なくとも１つを受信することを控えることと、前記測定ギャップ中に、前記サービングセルを離れ、前記測定を実行することと、
をさらに備える、方法。
【請求項７】
ワイヤレス通信の方法であって、
接続モードである間、ユニキャストサービスの測定ギャップ中に測定を実行するために、サービングセルから構成を受信することと、
前記測定ギャップ中に、マルチキャスト／ブロードキャストサービスに関連付けられたマルチキャスト／ブロードキャストコンテンツを受信するために、第１の周波数上で前記サービングセルを離れることと、近隣セルの第２の周波数上で前記測定を実行することとを控えるかどうかを判断すること、ここにおいて、前記サービングセルを離れることと、前記測定を実行することとを控えるかどうかの前記判断が、タイマーに基づく、と、
先の測定時に前記タイマーを開始させることと、
を備え、
ここにおいて、前記マルチキャスト／ブロードキャストコンテンツの前記受信が、前記測定ギャップと重複し、前記タイマーが満了していないとき、前記方法が、
前記測定ギャップ中に、前記サービングセルを離れることと、前記測定を実行することとを控えることと、および、
前記測定ギャップ中に、前記マルチキャスト／ブロードキャストコンテンツを受信することと、
ここにおいて、前記マルチキャスト／ブロードキャストコンテンツの前記受信が、前記測定ギャップと重複し、前記タイマーが満了したとき、前記方法が、
前記測定ギャップ中に、前記マルチキャスト／ブロードキャストコンテンツを受信することを控えることと、および、
前記測定ギャップ中に、前記サービングセルを離れ、前記測定を実行することと、
をさらに備える、方法。
【請求項８】
ワイヤレス通信のための装置であって、
接続モードである間、ユニキャストサービスの測定ギャップ中に測定を実行するために、サービングセルから構成を受信するための手段と、
前記測定ギャップ中に、マルチキャスト／ブロードキャストサービスに関連付けられたマルチキャスト／ブロードキャストコンテンツを受信するために、第１の周波数上で前記サービングセルを離れることと、近隣セルの第２の周波数上で前記測定を実行することとを控えるかどうかを判断するための手段と、ここにおいて、前記サービングセルを離れることと、前記測定を実行することとを控えるかどうかの前記判断が、前記サービングセルの信号品質、ならびに、前記測定ギャップと、前記マルチキャスト／ブロードキャストコンテンツの制御／システム情報またはトラフィックデータのうちの少なくとも１つの受信との重複に基づく、
マルチキャスト／ブロードキャストコンテンツを受信するための手段と、周波数間／ＲＡＴ間測定を実行するための手段と、
を備え、
前記制御／システム情報の前記受信が、前記測定ギャップと重複し、前記信号品質が第１のしきい値よりも大きく、第２のしきい値以下であるとき、周波数間／ＲＡＴ間測定を実行するための前記手段が、前記測定ギャップ中に、前記サービングセルを離れることと、前記測定を実行することとを控えるように構成され、および、マルチキャスト／ブロードキャストコンテンツを受信するための前記手段が、前記測定ギャップ中に、前記制御／システム情報を受信するように、
構成される、
装置。
【請求項９】
前記制御／システム情報または前記トラフィックデータのうちの前記少なくとも１つの前記受信が前記測定ギャップと重複し、および、前記信号品質が前記第２のしきい値よりも大きいとき、
周波数間／ＲＡＴ間測定を実行するための前記手段が、前記測定ギャップ中に、前記サービングセルを離れることと、前記測定を実行することとを控えるように構成され、および
マルチキャスト／ブロードキャストコンテンツを受信するための前記手段が、前記測定ギャップ中に、前記制御／システム情報または前記トラフィックデータのうちの前記少なくとも１つを受信するように構成される、請求項８に記載の装置。
【請求項１０】
前記制御／システム情報または前記トラフィックデータのうちの前記少なくとも１つの前記受信が前記測定ギャップと重複し、および、前記信号品質が前記第１のしきい値以下であるとき、
マルチキャスト／ブロードキャストコンテンツを受信するための前記手段は、前記測定ギャップ中に、前記制御／システム情報または前記トラフィックデータのうちの前記少なくとも１つを受信することを控えるように構成され、
周波数間／ＲＡＴ間測定を実行するための前記手段は、前記測定ギャップ中に、前記サービングセルを離れ、前記測定を実行するように構成される、請求項８に記載の装置。
【請求項１１】
前記マルチキャスト／ブロードキャストコンテンツの前記受信が前記測定ギャップと重複するとき、
周波数間／ＲＡＴ間測定を実行するための前記手段は、前記測定ギャップ中に、前記サービングセルを離れることと、前記測定を実行することとを控えるように構成され、
マルチキャスト／ブロードキャストコンテンツを受信するための前記手段は、前記測定ギャップ中に、前記マルチキャスト／ブロードキャストコンテンツを受信するように構成される、請求項８に記載の装置。
【請求項１２】
前記サービングセルを離れることと、前記測定を実行することとを控えるかどうかの前記判断が、タイマーに基づく、請求項８に記載の装置。
【請求項１３】
ワイヤレス通信のための装置であって、
接続モードである間、ユニキャストサービスの測定ギャップ中に測定を実行するために、サービングセルから構成を受信するための手段と、
前記測定ギャップ中に、マルチキャスト／ブロードキャストサービスに関連付けられたマルチキャスト／ブロードキャストコンテンツを受信するために、第１の周波数上で前記サービングセルを離れることと、近隣セルの第２の周波数上で前記測定を実行することとを控えるかどうかを判断するための手段と、ここにおいて、前記サービングセルを離れることと、前記測定を実行することとを控えるかどうかの前記判断が、前記サービングセルの信号品質、ならびに、前記測定ギャップと、前記マルチキャスト／ブロードキャストコンテンツの制御／システム情報またはトラフィックデータのうちの少なくとも１つの受信との重複に基づく、
マルチキャスト／ブロードキャストコンテンツを受信するための手段と、周波数間／ＲＡＴ間測定を実行するための手段と、
を備え、
前記トラフィックデータの前記受信が前記測定ギャップと重複し、前記信号品質が第１のしきい値よりも大きく、第２のしきい値以下であるとき、マルチキャスト／ブロードキャストコンテンツを受信するための前記手段が、前記測定ギャップ中に、前記トラフィックデータを受信することを控えるように構成され、および、周波数間／ＲＡＴ間測定を実行するための前記手段が、前記測定ギャップ中に、前記サービングセルを離れ、前記測定を実行するように構成され、
前記制御／システム情報または前記トラフィックデータのうちの少なくとも１つの前記受信が前記測定ギャップと重複し、前記信号品質が前記第１のしきい値以下であるとき、
マルチキャスト／ブロードキャストコンテンツを受信するための前記手段が、前記測定ギャップ中に、前記制御／システム情報または前記トラフィックデータのうちの少なくとも１つを受信することを控えるように構成され、および、周波数間／ＲＡＴ間測定を実行するための前記手段が、前記測定ギャップ中に、前記サービングセルを離れ、前記測定を実行するように構成される、
装置。
【請求項１４】
ワイヤレス通信のための装置であって、
接続モードである間、ユニキャストサービスの測定ギャップ中に測定を実行するために、サービングセルから構成を受信するための手段と、および、
前記測定ギャップ中に、マルチキャスト／ブロードキャストサービスに関連付けられたマルチキャスト／ブロードキャストコンテンツを受信するために、第１の周波数上で前記サービングセルを離れることと、近隣セルの第２の周波数上で前記測定を実行することとを控えるかどうかを判断するための手段と、ここにおいて、前記サービングセルを離れることと、前記測定を実行することとを控えるかどうかの前記判断が、タイマーに基づく、
マルチキャスト／ブロードキャストコンテンツを受信するための手段と、周波数間／ＲＡＴ間測定を実行するための手段と、および、先の測定時に前記タイマーを開始させるための手段とを備え、
前記マルチキャスト／ブロードキャストコンテンツの前記受信が、前記測定ギャップと重複し、および、前記タイマーが満了していないとき、周波数間／ＲＡＴ間測定を実行するための前記手段が、前記測定ギャップ中に、前記サービングセルを離れることと、前記測定を実行することとを控えるように構成され、マルチキャスト／ブロードキャストコンテンツを受信するための前記手段が、前記測定ギャップ中に、前記マルチキャスト／ブロードキャストコンテンツを受信するように構成され、
前記マルチキャスト／ブロードキャストコンテンツの前記受信が、前記測定ギャップと重複し、前記タイマーが満了したとき、マルチキャスト／ブロードキャストコンテンツを受信するための前記手段が、前記測定ギャップ中に、前記マルチキャスト／ブロードキャストコンテンツを受信することを控えるように構成され、周波数間／ＲＡＴ間測定を実行するための前記手段が、前記測定ギャップ中に、前記サービングセルを離れ、前記測定を実行するように構成される、装置。
【請求項１５】
ワイヤレス通信のための装置であって、
メモリと、
前記メモリに結合された少なくとも１つのプロセッサと
を備え、前記少なくとも１つのプロセッサは、
接続モードである間、ユニキャストサービスの測定ギャップ中に測定を実行するために、サービングセルから構成を受信することと、および、
前記測定ギャップ中に、マルチキャスト／ブロードキャストサービスに関連付けられたマルチキャスト／ブロードキャストコンテンツを受信するために、第１の周波数上で前記サービングセルを離れることと、近隣セルの第２の周波数上で前記測定を実行することとを控えるかどうかを判断することと、
を行うように構成され、
前記サービングセルを離れることと、前記測定を実行することとを控えるかどうかの前記判断が、前記サービングセルの信号品質、ならびに、前記測定ギャップと、前記マルチキャスト／ブロードキャストコンテンツの制御／システム情報またはトラフィックデータのうちの少なくとも１つの受信との重複に基づき、
前記制御／システム情報の前記受信が、前記測定ギャップと重複し、および、前記信号品質が第１のしきい値よりも大きく、第２のしきい値以下であるとき、前記少なくとも１つのプロセッサは、
前記測定ギャップ中に、前記サービングセルを離れることと、前記測定を実行することとを控えることと、前記測定ギャップ中に前記制御／システム情報を受信することと、を行うようにさらに構成される、
装置。
【請求項１６】
前記制御／システム情報または前記トラフィックデータのうちの前記少なくとも１つの前記受信が、前記測定ギャップと重複し、および、前記信号品質が前記第２のしきい値よりも大きいとき、少なくとも１つのプロセッサが、
前記測定ギャップ中に、前記サービングセルを離れることと、前記測定を実行することとを控えることと、および、
前記測定ギャップ中に、前記制御／システム情報または前記トラフィックデータのうちの前記少なくとも１つを受信することと、
を行うようにさらに構成される、請求項１５に記載の装置。
【請求項１７】
前記制御／システム情報または前記トラフィックデータのうちの前記少なくとも１つの前記受信が、前記測定ギャップと重複し、前記信号品質が前記第１のしきい値以下であるとき、少なくとも１つのプロセッサが、
前記測定ギャップ中に、前記制御／システム情報または前記トラフィックデータのうちの前記少なくとも１つを受信することを控えることと、および、
前記測定ギャップ中に、前記サービングセルを離れ、前記測定を実行することと、
を行うようにさらに構成される、請求項１５に記載の装置。
【請求項１８】
前記マルチキャスト／ブロードキャストコンテンツの前記受信が前記測定ギャップと重複するとき、少なくとも１つのプロセッサは、
前記測定ギャップ中に、前記サービングセルを離れることと、前記測定を実行することとを控えることと、および、
前記測定ギャップ中に、前記マルチキャスト／ブロードキャストコンテンツを受信することと、
を行うようにさらに構成される、請求項１５に記載の装置。
【請求項１９】
前記サービングセルを離れることと、前記測定を実行することとを控えるかどうかの前記判断が、タイマーに基づく、請求項１５に記載の装置。
【請求項２０】
ワイヤレス通信のための装置であって、
メモリと、
前記メモリに結合された少なくとも１つのプロセッサと
を備え、前記少なくとも１つのプロセッサは、
接続モードである間、ユニキャストサービスの測定ギャップ中に測定を実行するために、サービングセルから構成を受信することと、および、
前記測定ギャップ中に、マルチキャスト／ブロードキャストサービスに関連付けられたマルチキャスト／ブロードキャストコンテンツを受信するために、第１の周波数上で前記サービングセルを離れることと、近隣セルの第２の周波数上で前記測定を実行することとを控えるかどうかを判断することと、
を行うように構成され、
前記サービングセルを離れることと、前記測定を実行することとを控えるかどうかの前記判断が、前記サービングセルの信号品質、ならびに、前記測定ギャップと、前記マルチキャスト／ブロードキャストコンテンツの制御／システム情報またはトラフィックデータのうちの少なくとも１つの受信との重複に基づき、
前記トラフィックデータの前記受信が、前記測定ギャップと重複し、および、前記信号品質が第１のしきい値よりも大きく、第２のしきい値以下であるとき、前記少なくとも１つのプロセッサは、
前記測定ギャップ中に、前記トラフィックデータを受信することを控えることと、前記測定ギャップ中に、前記サービングセルを離れ、前記測定を実行することと、を行うようにさらに構成される、
前記制御／システム情報または前記トラフィックデータのうちの少なくとも１つの前記受信が前記測定ギャップと重複し、および、前記信号品質が前記第１のしきい値以下であるとき、前記少なくとも１つのプロセッサは、
前記測定ギャップ中に、前記制御／システム情報または前記トラフィックデータのうちの少なくとも１つを受信することを控えることと、前記測定ギャップ中に、前記サービングセルを離れ、前記測定を実行することと、を行うようにさらに構成される、
装置。
【請求項２１】
ワイヤレス通信の装置であって、
メモリと、
前記メモリに結合された少なくとも１つのプロセッサと
を備え、前記少なくとも１つのプロセッサは、
接続モードである間、ユニキャストサービスの測定ギャップ中に測定を実行するために、サービングセルから構成を受信することと、および、
前記測定ギャップ中に、マルチキャスト／ブロードキャストサービスに関連付けられたマルチキャスト／ブロードキャストコンテンツを受信するために、第１の周波数上で前記サービングセルを離れることと、近隣セルの第２の周波数上で前記測定を実行することとを控えるかどうかを判断すること、ここにおいて、前記サービングセルを離れることと、前記測定を実行することとを控えるかどうかの前記判断が、タイマーに基づく、と、
先の測定時に前記タイマーを開始させることと、
を行うように構成され、
ここにおいて、前記マルチキャスト／ブロードキャストコンテンツの前記受信が、前記測定ギャップと重複し、前記タイマーが満了していないとき、前記少なくとも１つのプロセッサが、
前記測定ギャップ中に、前記サービングセルを離れることと、前記測定を実行することとを控えることと、および、
前記測定ギャップ中に、前記マルチキャスト／ブロードキャストコンテンツを受信することと、
を行うようにさらに構成され、
ここにおいて、前記マルチキャスト／ブロードキャストコンテンツの前記受信が、前記測定ギャップと重複し、前記タイマーが満了したとき、前記少なくとも１つのプロセッサが、
前記測定ギャップ中に、前記マルチキャスト／ブロードキャストコンテンツを受信することを控えることと、および、
前記測定ギャップ中に、前記サービングセルを離れ、前記測定を実行することと、
を行うようにさらに構成される、装置。
【請求項２２】
コンピュータ可読な記憶媒体であって、
接続モードである間、ユニキャストサービスの測定ギャップ中に測定を実行するために、サービングセルから構成を受信することと、および、
前記測定ギャップ中に、マルチキャスト／ブロードキャストサービスに関連付けられたマルチキャスト／ブロードキャストコンテンツを受信するために、第１の周波数上で前記サービングセルを離れることと、近隣セルの第２の周波数上で前記測定を実行することとを控えるかどうかを判断することと、
を１つまたは複数のプロセッサに実行させるためのコードを備え、
前記サービングセルを離れることと、前記測定を実行することとを控えるかどうかの前記判断が、前記サービングセルの信号品質、ならびに、前記測定ギャップと、前記マルチキャスト／ブロードキャストコンテンツの制御／システム情報またはトラフィックデータのうちの少なくとも１つの受信との重複に基づき、
前記制御／システム情報の前記受信が、前記測定ギャップと重複し、および、前記信号品質が第１のしきい値よりも大きく、第２のしきい値以下であるとき、
前記測定ギャップ中に、前記サービングセルを離れることと、前記測定を実行することとを控えることと、前記測定ギャップ中に、前記制御／システム情報を受信することと、
を１つまたは複数のプロセッサに実行させる、
ためのコードをさらに備える、コンピュータ可読な記憶媒体。
【発明の詳細な説明】
【技術分野】
【０００１】
関連出願の相互参照
本出願は、参照により全文が本明細書に明確に組み込まれる、２０１１年１２月２０日に出願されたＰＲＩＯＲＩＴＩＺＩＮＧ  ＩＮＴＥＲ−ＦＲＥＱＵＥＮＣＹ／ＩＮＴＥＲ−ＲＡＴ  ＭＥＡＳＵＲＥＭＥＮＴＳ  ＡＮＤ  ＥＭＢＭＳ  ＩＮ  ＬＴＥという名称の米国特許出願第１３／３３１，０４４号の利益を主張する。
【０００２】
本開示は、一般に通信システムに関し、より詳細には、ロングタームエボリューション（ＬＴＥ）における周波数間および／または無線アクセス技術（ＲＡＴ）間測定と、発展型マルチメディアブロードキャストマルチキャストサービス（ｅＭＢＭＳ）との優先度付けに関する。
【背景技術】
【０００３】
ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
これらの多元接続技術は、異なるワイヤレスデバイスが都市、国家、地域、さらには地球規模で通信することを可能にする共通プロトコルを与えるために様々な電気通信規格において採用されている。新生の電気通信規格の一例はＬＴＥである。ＬＴＥは、Ｔｈｉｒｄ  Ｇｅｎｅｒａｔｉｏｎ  Ｐａｒｔｎｅｒｓｈｉｐ  Ｐｒｏｊｅｃｔ（３ＧＰＰ）によって公表されたＵｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）モバイル規格の拡張のセットである。ＬＴＥは、スペクトル効率を改善することによってモバイルブロードバンドインターネットアクセスをより良くサポートし、コストを下げ、サービスを改善し、新しいスペクトルを利用し、また、ダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合するように設計されている。しかしながら、モバイルブロードバンドアクセスに対する需要が増加し続けるにつれて、ＬＴＥ技術のさらなる改善が必要である。好ましくは、これらの改善は、他の多元接続技術と、これらの技術を採用する電気通信規格とに適用可能であるべきである。
【０００５】
サービング発展型ノードＢ（ｅＮＢ）は、接続モードである間に周波数間（inter-frequency measurement）またはＲＡＴ間測定（inter-RAT measurement）を実行するように、ユーザ機器（ＵＥ）に命令し得る。ｅＮＢは、いつＵＥがｅＭＢＭＳコンテンツを受信中であるかを知らないことがある。したがって、周波数間またはＲＡＴ間測定を実行するための測定ギャップと、ｅＭＢＭＳコンテンツの受信との間に衝突があり得る。したがって、周波数間および／またはＲＡＴ間測定とｅＭＢＭＳとを優先度付けするための方法および装置の必要がある。
【発明の概要】
【０００６】
本開示の一態様では、測定ギャップ中の測定の実行と、マルチキャスト／ブロードキャストコンテンツの受信とを優先度付けするための方法、コンピュータプログラム製品、および装置が提供される。この装置は、接続モードである間、ユニキャストサービスの測定ギャップ中に測定を実行するために、サービングセルから構成を受信する。加えて、この装置は、測定ギャップ中に、マルチキャスト／ブロードキャストサービスに関連付けられたマルチキャスト／ブロードキャストコンテンツを受信するために、第１の周波数上でサービングセルを離れることと、近隣セルの第２の周波数上で測定を実行することと、を控えるかどうかを判断する。
【図面の簡単な説明】
【０００７】
【図１】ネットワークアーキテクチャの一例を示す図。
【図２】アクセスネットワークの一例を示す図。
【図３】ＬＴＥにおけるＤＬフレーム構造の一例を示す図。
【図４】ＬＴＥにおけるＵＬフレーム構造の一例を示す図。
【図５】ユーザプレーンおよび制御プレーンのための無線プロトコルアーキテクチャの一例を示す図。
【図６】アクセスネットワーク中のｅＮＢおよびユーザ機器の一例を示す図。
【図７】単一周波数ネットワーク上のマルチメディアブロードキャスト中のｅＭＢＭＳを示す図。
【図８】あるｅＭＢＭＳコンテンツの受信を示すための図。
【図９】測定ギャップを示すための図。
【図１０】測定ギャップとｅＭＢＭＳコンテンツとの間の重複を示すための図。
【図１１】周波数間／ＲＡＴ間測定とｅＭＢＭＳコンテンツの受信とを優先度付けするための第１の方法を示すための図。
【図１２】周波数間／ＲＡＴ間測定とｅＭＢＭＳコンテンツの受信とを優先度付けするための第２の方法を示すための図。
【図１３】周波数間／ＲＡＴ間測定とｅＭＢＭＳコンテンツの受信とを優先度付けするための第３の方法を示すための第１の図。
【図１４】周波数間／ＲＡＴ間測定とｅＭＢＭＳコンテンツの受信とを優先度付けするための第３の方法を示すための第２の図。
【図１５】周波数間／ＲＡＴ間測定とｅＭＢＭＳコンテンツの受信とを優先度付けするための第４の方法を示すための図。
【図１６】周波数間／ＲＡＴ間測定とマルチキャスト／ブロードキャストコンテンツの受信とを優先度付けするためのワイヤレス通信の第１、第２、第３、および第４の方法のフローチャート。
【図１７】周波数間／ＲＡＴ間測定とマルチキャスト／ブロードキャストコンテンツの受信とを優先度付けするためのワイヤレス通信の第３の方法のフローチャート。
【図１８】周波数間／ＲＡＴ間測定とマルチキャスト／ブロードキャストコンテンツの受信とを優先度付けするためのワイヤレス通信の第４の方法のフローチャート。
【図１９】周波数間／ＲＡＴ間測定とマルチキャスト／ブロードキャストコンテンツの受信とを優先度付けするためのワイヤレス通信の第２の方法のフローチャート。
【図２０】周波数間／ＲＡＴ間測定とマルチキャスト／ブロードキャストコンテンツの受信とを優先度付けするためのワイヤレス通信の第１の方法のフローチャート。
【図２１】例示的な装置中の異なるモジュール／手段／構成要素間のデータフローを示す概念データフロー図。
【図２２】処理システムを採用する装置のためのハードウェア実装形態の一例を示す図。
【発明を実施するための形態】
【０００８】
添付の図面に関して以下に示される発明を実施するための形態は、様々な構成について説明するものであり、本明細書で説明される概念が実施され得る唯一の構成を表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【０００９】
次に、様々な装置および方法に関して、電気通信システムのいくつかの態様を提示する。これらの装置および方法について、以下の発明を実施するための形態において説明し、（「要素」と総称される）様々なブロック、モジュール、構成要素、回路、ステップ、プロセス、アルゴリズムなどによって添付の図面に示す。これらの要素は、電子ハードウェア、コンピュータソフトウェア、またはそれらの任意の組合せを使用して実装され得る。そのような要素がハードウェアとして実装されるか、ソフトウェアとして実装されるかは、特定の適用例および全体的なシステムに課された設計制約に依存する。
【００１０】
例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。処理システム中の１つまたは複数のプロセッサは、ソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１１】
したがって、１つまたは複数の例示的な実施形態では、説明する機能は、ハードウェア、ソフトウェア、ファームウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体は、コンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。
【００１２】
図１は、ＬＴＥネットワークアーキテクチャ１００を示す図である。ＬＴＥネットワークアーキテクチャ１００は、発展型パケットシステム（ＥＰＳ）１００と呼ばれることがある。ＥＰＳ１００は、１つまたは複数のＵＥ１０２と、発展型ＵＭＴＳ地上波無線アクセスネットワーク（Ｅ−ＵＴＲＡＮ）１０４と、発展型パケットコア（ＥＰＣ）１１０と、ホーム加入者サーバ（ＨＳＳ）１２０と、事業者のＩＰサービス１２２とを含み得る。ＥＰＳは他のアクセスネットワークと相互接続することができるが、簡単のために、それらのエンティティ／インターフェースは図示していない。図示のように、ＥＰＳはパケット交換サービスを提供するが、当業者なら容易に諒解するように、本開示全体にわたって提示する様々な概念は、回線交換サービスを提供するネットワークに拡張され得る。
【００１３】
Ｅ−ＵＴＲＡＮは、ｅＮＢ１０６と他のｅＮＢ１０８とを含む。ｅＮＢ１０６は、ＵＥ１０２に対してのユーザおよび制御プレーンプロトコルの終端を与える。ｅＮＢ１０６は、Ｘ２インターフェース（たとえば、バックホール）を介して他のｅＮＢ１０８に接続され得る。ｅＮＢ１０６は、基地局、トランシーバ基地局、無線基地局、無線トランシーバ、トランシーバ機能、基本サービスセット（ＢＳＳ）、拡張サービスセット（ＥＳＳ）、または何らかの他の好適な用語で呼ばれることもある。ｅＮＢ１０６は、ＵＥ１０２にＥＰＣ１１０へのアクセスポイントを与える。ＵＥ１０２の例には、セルラーフォン、スマートフォン、セッション開始プロトコル（ＳＩＰ）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００１４】
ｅＮＢ１０６は、Ｓ１インターフェースによってＥＰＣ１１０に接続される。ＥＰＣ１１０は、モビリティ管理エンティティ（ＭＭＥ）１１２と、他のＭＭＥ１１４と、サービングゲートウェイ１１６と、パケットデータネットワーク（ＰＤＮ）ゲートウェイ１１８とを含む。ＭＭＥ１１２は、ＵＥ１０２とＥＰＣ１１０との間のシグナリングを処理する制御ノードである。概して、ＭＭＥ１１２は、ベアラおよび接続管理を行う。すべてのユーザＩＰパケットは、サービングゲートウェイ１１６を通して転送され、サービングゲートウェイ１１６自体はＰＤＮゲートウェイ１１８に接続される。ＰＤＮゲートウェイ１１８は、ＵＥのＩＰアドレス割振りならびに他の機能を与える。ＰＤＮゲートウェイ１１８は、事業者のＩＰサービス１２２に接続される。事業者のＩＰサービス１２２は、インターネットと、イントラネットと、ＩＰマルチメディアサブシステム（ＩＭＳ）と、ＰＳストリーミングサービス（ＰＳＳ）とを含み得る。
【００１５】
図２は、ＬＴＥネットワークアーキテクチャにおけるアクセスネットワーク２００の一例を示す図である。この例では、アクセスネットワーク２００は、いくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、リモートラジオヘッド（ＲＲＨ）と呼ばれることがある。より低い電力クラスのｅＮＢ２０８は、フェムトセル（たとえば、ホームｅＮＢ（ＨｅＮＢ））、ピコセル、またはマイクロセルであり得る。マクロｅＮＢ２０４は各々、それぞれのセル２０２に割り当てられ、セル２０２中のすべてのＵＥ２０６にＥＰＣ１１０へのアクセスポイントを与えるように構成される。アクセスネットワーク２００のこの例では集中コントローラはないが、代替構成では集中コントローラが使用され得る。ｅＮＢ２０４は、無線ベアラ制御、承認制御、モビリティ制御、スケジューリング、セキュリティ、およびサービングゲートウェイ１１６への接続性を含む、すべての無線関係機能を担当する。
【００１６】
アクセスネットワーク２００によって採用される変調および多元接続方式は、展開されている特定の電気通信規格に応じて異なり得る。ＬＴＥ適用例では、周波数分割複信（ＦＤＤ）と時分割複信（ＴＤＤ）の両方をサポートするために、ＯＦＤＭがＤＬ上で使用され、ＳＣ−ＦＤＭＡがＵＬ上で使用される。当業者なら以下の発明を実施するための形態から容易に諒解するように、本明細書で提示する様々な概念は、ＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ：Ultra Mobile Broadband）に拡張され得る。ＥＶ−ＤＯおよびＵＭＢは、ＣＤＭＡ２０００規格ファミリーの一部として第３世代パートナーシッププロジェクト２（３ＧＰＰ２）によって公表されたエアインターフェース規格であり、ＣＤＭＡを採用して移動局にブロードバンドインターネットアクセスを提供する。これらの概念はまた、広帯域ＣＤＭＡ（Ｗ−ＣＤＭＡ（登録商標））と、ＴＤ−ＳＣＤＭＡ、ＴＤＭＡを採用するＧｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））、および発展型ＵＴＲＡ（Ｅ−ＵＴＲＡ）など、ＣＤＭＡの他の変形態とを採用するユニバーサル地上無線アクセス（ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＯＦＤＭＡを採用するＦｌａｓｈ−ＯＦＤＭに拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課された全体的な設計制約に依存することになる。
【００１７】
ｅＮＢ２０４は、ＭＩＭＯ技術をサポートする複数のアンテナを有し得る。ＭＩＭＯ技術の使用は、ｅＮＢ２０４に、空間多重化、ビームフォーミング、および送信ダイバーシティをサポートするために空間領域を活用することを可能にする。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコーディングし（すなわち、振幅および位相のスケーリングを適用し）、次いでＤＬ上で複数の送信アンテナを通じて空間的にプリコーディングされた各ストリームを送信することによって達成される。空間的にプリコーディングされたデータストリームは、異なる空間シグネチャとともに（１つまたは複数の）ＵＥ２０６に到着し、これにより、（１つまたは複数の）ＵＥ２０６の各々がそのＵＥ２０６に宛てられた１つまたは複数のデータストリームを復元することが可能になる。ＵＬ上で、各ＵＥ２０６は、空間的にプリコーディングされたデータストリームを送信し、これにより、ｅＮＢ２０４は、空間的にプリコーディングされた各データストリームのソースを識別することが可能になる。
【００１８】
空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを通して送信するためのデータを空間的にプリコーディングすることによって達成され得る。セルのエッジにおいて良好なカバレージを達成するために、送信ダイバーシティと組み合わせてシングルストリームビームフォーミング送信が使用され得る。
【００１９】
以下の発明を実施するための形態では、ＤＬ上でＯＦＤＭをサポートするＭＩＭＯシステムを参照しながらアクセスネットワークの様々な態様について説明する。ＯＦＤＭは、ＯＦＤＭシンボル内のいくつかのサブキャリアを介してデータを変調するスペクトル拡散技法である。サブキャリアは、正確な周波数で離間する。離間は、受信機がサブキャリアからデータを復元することを可能にする「直交性」を与える。時間領域では、ＯＦＤＭシンボル間干渉をなくすために、ガードインターバル（たとえば、サイクリックプレフィックス）が各ＯＦＤＭシンボルに追加され得る。ＵＬは、高いピーク対平均電力比（ＰＡＰＲ）を補償するために、ＳＣ−ＦＤＭＡをＤＦＴ拡散ＯＦＤＭ信号の形態で使用し得る。
【００２０】
図３は、ＬＴＥにおけるＤＬフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは、複数のリソース要素に分割される。ＬＴＥでは、リソースブロックは、周波数領域中に１２個の連続サブキャリアを含んでおり、各ＯＦＤＭシンボル中のノーマルサイクリックプレフィックスについて、時間領域中に７個の連続ＯＦＤＭシンボル、または８４個のリソース要素を含んでいる。拡張サイクリックプレフィックスについて、リソースブロックは、時間領域中に６個の連続ＯＦＤＭシンボルを含んでおり、７２個のリソース要素を有する。Ｒ３０２、３０４として示されるリソース要素のいくつかは、ＤＬリファレンス・シグナル（ＤＬ−ＲＳ）を含む。ＤＬ−ＲＳは、（共通ＲＳと呼ばれることもある）セル固有ＲＳ（ＣＲＳ）３０２と、ＵＥ固有ＲＳ（ＵＥ−ＲＳ）３０４とを含む。ＵＥ−ＲＳ３０４は、対応する物理ＤＬ共有チャネル（ＰＤＳＣＨ）がマッピングされるリソースブロック上でのみ送信される。各リソース要素によって搬送されるビット数は変調方式に依存する。したがって、ＵＥが受信するリソースブロックが多いほど、また変調方式が高いほど、ＵＥのデータレートは高くなる。
【００２１】
図４は、ＬＴＥにおけるＵＬフレーム構造の一例を示す図４００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報を送信するためにＵＥに割り当てられ得る。データセクションは、制御セクション中に含まれないすべてのリソースブロックを含み得る。ＵＬフレーム構造は、データセクション中の連続するサブキャリアのすべてを単一のＵＥに割り当てることを可能にし得る連続サブキャリアを含むデータセクションを生じる。
【００２２】
ＵＥには、ｅＮＢに制御情報を送信するために、制御セクション中のリソースブロック４１０ａ、４１０ｂが割り当てられ得る。ＵＥには、ｅＮＢにデータを送信するために、データセクション中のリソースブロック４２０ａ、４２０ｂも割り当てられ得る。ＵＥは、制御セクション中の割り当てられたリソースブロック上の物理ＵＬ制御チャネル（ＰＵＣＣＨ）中で制御情報を送信し得る。ＵＥは、データセクション中の割り当てられたリソースブロック上の物理ＵＬ共有チャネル（ＰＵＳＣＨ）中でデータのみまたはデータと制御情報の両方を送信し得る。ＵＬ送信は、サブフレームの両方のスロットにわたり得、周波数上でホッピングし得る。
【００２３】
初期システムアクセスを実行し、物理ランダムアクセスチャネル（ＰＲＡＣＨ）４３０中でＵＬ同期を達成するために、リソースブロックのセットが使用され得る。ＰＲＡＣＨ４３０は、ランダムシーケンスを搬送し、いかなるＵＬデータ／シグナリングも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥは、フレーム（１０ｍｓ）ごとに単一のＰＲＡＣＨ試みだけを行うことができる。
【００２４】
図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、レイヤ１と、レイヤ２と、レイヤ３との３つのレイヤとともに示されている。レイヤ１（Ｌ１レイヤ）は最下位レイヤであり、様々な物理レイヤ信号処理機能を実装する。Ｌ１レイヤは、本明細書では物理レイヤ５０６と呼ばれる。レイヤ２（Ｌ２レイヤ）５０８は、物理レイヤ５０６の上にあり、物理レイヤ５０６を介したＵＥとｅＮＢとの間のリンクを担当する。
【００２５】
ユーザプレーンでは、Ｌ２レイヤ５０８は、ネットワーク側のｅＮＢにおいて終端される、媒体アクセス制御（ＭＡＣ）サブレイヤ５１０と、無線リンク制御（ＲＬＣ）サブレイヤ５１２と、パケットデータコンバージェンスプロトコル（ＰＤＣＰ）５１４サブレイヤとを含む。図示されていないが、ＵＥは、Ｌ２レイヤ５０８の上に、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含むいくつかの上位レイヤを有し得る。
【００２６】
ＰＤＣＰサブレイヤ５１４は、異なる無線ベアラと論理チャネルとの間で多重化を行う。ＰＤＣＰサブレイヤ５１４はまた、無線送信オーバーヘッドを低減するために上位レイヤデータパケットのヘッダ圧縮と、データパケットを暗号化することによるセキュリティと、ＵＥに対するｅＮＢ間のハンドオーバサポートとを行う。ＲＬＣサブレイヤ５１２は、上位レイヤデータパケットのセグメンテーションおよび再統合と、紛失データパケットの再送信と、ハイブリッド自動再送要求（ＨＡＲＱ）による、順が狂った受信を補正するデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル内の様々な無線リソース（たとえば、リソースブロック）を割り振ることを担当する。ＭＡＣサブレイヤ５１０はまた、ＨＡＲＱ動作を担当する。
【００２７】
制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ）サブレイヤ５１６を含む。ＲＲＣサブレイヤ５１６は、無線リソース（すなわち、無線ベアラ）を取得することと、ｅＮＢとＵＥとの間のＲＲＣシグナリングを使用して下位レイヤを構成することとを担当する。
【００２８】
図６は、アクセスネットワーク中でＵＥ６５０と通信しているｅＮＢ６１０のブロック図である。ＤＬでは、コアネットワークからの上位レイヤパケットが、コントローラ／プロセッサ６７５に与えられる。コントローラ／プロセッサ６７５は、Ｌ２レイヤの機能を実装する。ＤＬでは、コントローラ／プロセッサ６７５は、様々な優先度メトリックに基づいてヘッダ圧縮と、暗号化と、パケットのセグメンテーションおよび並べ替えと、論理チャネルとトランスポートチャネルとの間の多重化と、ＵＥ６５０への無線リソース割振りとを行う。コントローラ／プロセッサ６７５はまた、ＨＡＲＱ動作と、紛失パケットの再送信と、ＵＥ６５０へのシグナリングとを担当する。
【００２９】
送信（ＴＸ）プロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づいた信号コンスタレーションへのマッピングとを可能にするために、コーディングとインターリービングとを含む。次いで、コーディングされ変調されたシンボルは、並列ストリームに分割される。各ストリームは、次いでＯＦＤＭサブキャリアにマッピングされ、時間領域および／または周波数領域中でリファレンス・シグナル（たとえば、パイロット）と多重化され、次いで逆高速フーリエ変換（ＩＦＦＴ）を使用して互いに合成されて、時間領域ＯＦＤＭシンボルストリームを搬送する物理チャネルを生成する。ＯＦＤＭストリームは、複数の空間ストリームを生成するために空間的にプリコーディングされる。チャネル推定器６７４からのチャネル推定値は、コーディングおよび変調方式を判断するために、ならびに空間処理のために使用され得る。チャネル推定値は、ＵＥ６５０によって送信されるリファレンス・シグナルおよび／またはチャネル状態フィードバックから導出され得る。次いで、各空間ストリームは、別個の送信機６１８ＴＸを介して異なるアンテナ６２０に与えられる。各送信機６１８ＴＸは、送信のためにそれぞれの空間ストリームでＲＦキャリアを変調する。
【００３０】
ＵＥ６５０において、各受信機６５４ＲＸは、そのそれぞれのアンテナ６５２を通して信号を受信する。各受信機６５４ＲＸは、ＲＦキャリア上に変調された情報を復元し、受信（ＲＸ）プロセッサ６５６に情報を与える。ＲＸプロセッサ６５６は、Ｌ１レイヤの様々な信号処理機能を実装する。ＲＸプロセッサ６５６は、ＵＥ６５０に宛てられた任意の空間ストリームを復元するために、情報に対して空間処理を実行する。複数の空間ストリームがＵＥ６５０に宛てられた場合、それらはＲＸプロセッサ６５６によって単一のＯＦＤＭシンボルストリームに合成され得る。次いで、ＲＸプロセッサ６５６は、高速フーリエ変換（ＦＦＴ）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルとリファレンス・シグナルとは、ｅＮＢ６１０によって送信される、可能性が最も高い信号のコンスタレーションポイントを判断することによって復元され、復調される。これらの軟判定は、チャネル推定器６５８によって計算されるチャネル推定値に基づき得る。軟判定は、次いで、物理チャネル上でｅＮＢ６１０によって最初に送信されたデータと制御信号とを復元するために復号され、デインターリーブされる。データおよび制御信号は、次いで、コントローラ／プロセッサ６５９に与えられる。
【００３１】
コントローラ／プロセッサ６５９は、Ｌ２レイヤを実装する。コントローラ／プロセッサは、プログラムコードとデータとを記憶するメモリ６６０に関連し得る。メモリ６６０は、コンピュータ可読媒体と呼ばれることがある。ＵＬでは、制御／プロセッサ６５９は、コアネットワークからの上位レイヤパケットを復元するために、トランスポートチャネルと論理チャネルとの間での多重分離と、パケット再統合と、復号と、ヘッダ復元と、制御信号処理とを行う。上位レイヤパケットは、次いで、Ｌ２レイヤの上のすべてのプロトコルレイヤを表すデータシンク６６２に与えられる。また、様々な制御信号が、Ｌ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用した誤り検出を担当する。
【００３２】
ＵＬでは、データソース６６７は、コントローラ／プロセッサ６５９に上位レイヤパケットを与えるために使用される。データソース６６７は、Ｌ２レイヤの上のすべてのプロトコルレイヤを表す。ｅＮＢ６１０によるＤＬ送信に関して説明した機能と同様に、コントローラ／プロセッサ６５９は、ヘッダ圧縮と、暗号化と、パケットのセグメンテーションおよび並べ替えと、ｅＮＢ６１０による無線リソース割振りに基づいた論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作、紛失パケットの再送信、およびｅＮＢ６１０へのシグナリングを担当する。
【００３３】
ｅＮＢ６１０によって送信されるリファレンス・シグナルまたはフィードバックからの、チャネル推定器６５８によって導出されるチャネル推定値は、適切なコーディングおよび変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられる。各送信機６５４ＴＸは、送信のためにそれぞれの空間ストリームでＲＦキャリアを変調する。
【００３４】
ＵＬ送信は、ＵＥ６５０における受信機機能に関して説明した方法と同様の方法で、ｅＮＢ６１０において処理される。各受信機６１８ＲＸは、そのそれぞれのアンテナ６２０を通して信号を受信する。各受信機６１８ＲＸは、ＲＦキャリア上で変調された情報を復元し、ＲＸプロセッサ６７０に情報を与える。ＲＸプロセッサ６７０は、Ｌ１レイヤを実装し得る。
【００３５】
コントローラ／プロセッサ６７５は、Ｌ２レイヤを実装する。コントローラ／プロセッサ６７５は、プログラムコードとデータとを記憶するメモリ６７６に関連し得る。メモリ６７６は、コンピュータ可読媒体と呼ばれることがある。ＵＬでは、制御／プロセッサ６７５は、ＵＥ６５０からの上位レイヤパケットを復元するために、トランスポートチャネルと論理チャネルとの間での多重分離と、パケット再統合と、復号と、ヘッダ復元と、制御信号処理とを行う。コントローラ／プロセッサ６７５からの上位レイヤパケットは、コアネットワークに与えられ得る。コントローラ／プロセッサ６７５はまた、ＨＡＲＱ動作をサポートするためにＡＣＫおよび／またはＮＡＣＫプロトコルを使用した誤り検出を担当する。
【００３６】
図７は、マルチメディアブロードキャストオーバー単一周波数ネットワーク（ＭＢＳＦＮ）中の発展型マルチキャストブロードキャストマルチメディアサービス（ｅＭＢＭＳ）を示す図７５０である。セル７５２’中のｅＮＢ７５２は、第１のＭＢＳＦＮエリアを形成し得、セル７５４’中のｅＮＢ７５４は、第２のＭＢＳＦＮエリアを形成し得る。ｅＮＢ７５２、７５４は、他のＭＢＳＦＮエリア、たとえば、最高で合計８つのＭＢＳＦＮエリアに関連付けられ得る。ＭＢＳＦＮエリア内のセルが、予約済みセルに指定され得る。予約済みセルは、マルチキャスト／ブロードキャストコンテンツを与えないが、セル７５２’、７５４’に時間同期させられ、ＭＢＳＦＮエリアへの干渉を制限するために、ＭＢＳＦＮリソース上で電力を制限する。ＭＢＳＦＮエリア中の各ｅＮＢは、同じｅＭＢＭＳ制御情報とデータとを同期的に送信する。各エリアは、ブロードキャストサービスと、マルチキャストサービスと、ユニキャストサービスとをサポートし得る。ユニキャストサービスは、特定のユーザを対象とするサービス、たとえば、音声通話である。マルチキャストサービスは、ユーザのグループによって受信され得るサービス、たとえば、サブスクリプションビデオサービスである。ブロードキャストサービスは、すべてのユーザによって受信され得るサービス、たとえば、ニュースブロードキャストである。図７を参照すると、第１のＭＢＳＦＮエリアは、特定のニュースブロードキャストをＵＥ７７０に与えることなどによって、第１のｅＭＢＭＳブロードキャストサービスをサポートし得る。第２のＭＢＳＦＮエリアは、異なるニュースブロードキャストをＵＥ７６０に与えることなどによって、第２のｅＭＢＭＳブロードキャストサービスをサポートし得る。各ＭＢＳＦＮエリアは、複数の物理マルチキャストチャネル（ＰＭＣＨ）（たとえば、１５個のＰＭＣＨ）をサポートする。各ＰＭＣＨは、マルチキャストチャネル（ＭＣＨ）に対応する。各ＭＣＨは、複数（たとえば、２９個）のマルチキャスト論理チャネルを多重化することができる。各ＭＢＳＦＮエリアは、１つのマルチキャスト制御チャネル（ＭＣＣＨ）を有し得る。したがって、１つのＭＣＨは、１つのＭＣＣＨと複数のマルチキャストトラフィックチャネル（ＭＴＣＨ）とを多重化することができ、残りのＭＣＨは複数のＭＴＣＨを多重化することができる。
【００３７】
図８は、あるｅＭＢＭＳコンテンツの受信を示すための図８００である。ｅＭＢＭＳコンテンツは、システム情報ブロック１３（ＳＩＢ１３）、ＭＣＣＨ、ＭＣＨスケジューリング情報（ＭＳＩ）、およびＭＣＣＨ変更の通知メッセージなどの制御／システム情報と、（１つまたは複数の）ＭＴＣＨなどのトラフィックデータと、他のｅＭＢＭＳ関連コンテンツとを含む。図８に示すように、ＵＥは、ＳＩＢ１３  ８０２を受信する。ＳＩＢ１３は、セルによってサポートされた各ＭＢＳＦＮのＭＢＳＦＮエリア識別子（ＩＤ）と、ＭＢＳＦＮエリアごとの非ＭＢＳＦＮ領域長さ（１つまたは２つのシンボル）と、ＭＣＣＨおよびＭＣＣＨ中のＭＢＳＦＮエリア構成メッセージ（configuration message）８０４を受信するための、ＭＢＳＦＮエリアごとのＭＣＣＨ構成と、ＭＣＣＨ変更の通知８０６を受信するための通知情報とを示す。ＭＢＳＦＮエリア構成メッセージ８０４は、各ＭＣＣＨ反復期間８１４で受信される。ＭＣＣＨ修正期間８１０中に受信された、ＭＣＣＨ変更の通知８０６およびＭＢＳＦＮエリア構成８０４メッセージは、後続のＭＣＣＨ修正期間８１２中に適用される。図８には示されていないが、ＵＥは、ｅＭＢＭＳ制御／システム情報とともに、（１つまたは複数の）ＭＴＣＨ（すなわち、トラフィックデータ）を受信し得る。
【００３８】
図９は、測定ギャップを示すための図９００である。ＵＥがＲＲＣ接続（ＲＲＣ＿ＣＯＮＮＥＣＴＥＤ）状態である間、ＵＥは、周波数間またはＲＡＴ間測定を実行し、測定結果を報告するように、そのサービングセルによって命令され得る。周波数間測定は、同じＲＡＴ中の異なるセルの異なる周波数の測定である。ＲＡＴ間測定は、異なるＲＡＴ中の異なるセルの測定である。ＵＥは、周波数間またはＲＡＴ間ハンドオーバの準備をするために、測定を実行するように命令され得る。既存のユニキャストサービス９０２の中断を回避するために、ＵＥがある周波数上でサービングセルから離れ、別の周波数上で測定を実行することを可能にするために、測定ギャップ９０４が測定のために与えられる。測定ギャップ９０４は、ＲＲＣ接続再構成（ＲＲＣＣｏｎｎｅｃｔｉｏｎＲｅｃｏｎｆｉｇｕｒａｔｉｏｎ）メッセージ中で構成される。測定ギャップは、４０ｍｓまたは８０ｍｓ時間期間ごとに、６ｍｓの長さ（すなわち、６個のサブフレーム）であり得る。
【００３９】
図１０は、測定ギャップ１００２とｅＭＢＭＳコンテンツ１００４との間の重複を示すための図１０００である。サービングｅＮＢは、ＲＲＣ＿ＣＯＮＮＥＣＴＥＤ状態である間、周波数間またはＲＡＴ間測定を実行するように、ＵＥに命令し得る。ｅＮＢは、いつＵＥがｅＭＢＭＳコンテンツを受信中であるかを知らないことがある。したがって、周波数間またはＲＡＴ間測定を実行するための測定ギャップ１００２と、ｅＭＢＭＳコンテンツ１００４の受信との間に衝突があり得る。以下で、周波数間／ＲＡＴ間測定とｅＭＢＭＳコンテンツの受信とを優先度付けするための方法が提供される。
【００４０】
図１１は、周波数間／ＲＡＴ間測定とｅＭＢＭＳコンテンツの受信とを優先度付けするための第１の方法を示すための図１１００である。本方法は、ＵＥによって実行され得る。測定ギャップの時間的頻度（周期）は、第１の方法では、ｅＭＢＭＳコンテンツの受信よりも頻繁であり得るので、測定ギャップとｅＭＢＭＳコンテンツとの間の衝突／重複がある場合、ＵＥは、ｅＭＢＭＳコンテンツを受信し、測定を実行するために次の競合しないギャップを待機する。図１１００に示すように、測定ギャップ１１０２は、ｅＭＢＭＳコンテンツ１１０４の受信と重複し、したがって、ＵＥは、ｅＭＢＭＳコンテンツ１１０４を受信する。しかしながら、測定ギャップ１１０６は、ｅＭＢＭＳコンテンツの受信と重複せず、したがって、ＵＥは、測定ギャップ１１０６中に測定を実行する。
【００４１】
ｅＭＢＭＳコンテンツを受信することを優先する結果、測定を実行する機会をＵＥが有さない状況を回避するために、ＵＥは、最後の測定からタイマーを開始させ得、タイマーが満了すると、ＵＥは、ｅＭＢＭＳコンテンツの受信よりも測定を実行することを優先させ得る。タイマーの実装は、タイマーによって設定されたある継続時間ごとに少なくとも１回、測定が実行される結果となる。図１１５０に示すように、ＵＥは、測定ギャップ１１５２中に測定を実行し、タイマーを開始させる。ＵＥは、測定ギャップ１１５４中に、測定を実行することよりもｅＭＢＭＳコンテンツ１１５６を受信することを優先させ、したがって、測定を実行する代わりに、ｅＭＢＭＳコンテンツ１１５６を受信する。ＵＥは、測定ギャップ１１５８中に、測定を実行することよりもｅＭＢＭＳコンテンツ１１６０を受信することを優先させ、したがって、測定を実行する代わりに、ｅＭＢＭＳコンテンツ１１６０を受信する。ただし、タイマーが満了すると、ＵＥは、測定ギャップ１１６２中に、ｅＭＢＭＳコンテンツ１１６４を受信することよりも測定を実行することを優先させ、したがって、ｅＭＢＭＳコンテンツ１１６４を受信する代わりに、測定を実行する。
【００４２】
図１２は、周波数間／ＲＡＴ間測定とｅＭＢＭＳコンテンツの受信とを優先度付けするための第２の方法を示すための図１２００である。本方法は、ＵＥによって実行され得る。ＭＳＩと、ＭＣＣＨと、ＭＣＣＨ変更の通知メッセージと、ＳＩＢ１３とを受信するために、ＵＥは、１ｍｓ程度のみを必要とし得る。ＵＥは、ＭＴＣＨを受信するために、数個のサブフレーム（１ｍｓ／サブフレーム）を必要とし得る。第２の方法によれば、ｅＭＢＭＳコンテンツが測定ギャップと部分的に重複しており、測定ギャップの残っている非重複部分において、測定を実行するために十分な時間がある場合、ＵＥは、ｅＭＢＭＳコンテンツを受信し、短縮された測定ギャップにおいて測定を実行する。図１２に示すように、ｅＭＢＭＳコンテンツ１２０４は、測定ギャップ１２０２と部分的に重複しており、測定ギャップ１２０６の残っている非重複の短縮部分を残している。ＵＥが、短縮された測定ギャップ１２０６において測定を実行するために十分な時間を有する場合、ＵＥは、測定ギャップ１２０２中にｅＭＢＭＳコンテンツ１２０４を受信し、短縮された測定ギャップ１２０６中に測定を実行する。さらに、図１２に示すように、ｅＭＢＭＳコンテンツ１２１０は、測定ギャップ１２０８と部分的に重複しており、測定ギャップ１２１２の残っている非重複の短縮部分を残している。ＵＥが、短縮された測定ギャップ１２１２において測定を実行するために十分な時間を有する場合、ＵＥは、短縮された測定ギャップ１２１２中に測定を実行し、続いて、測定ギャップ１２０８の残っている部分中にｅＭＢＭＳコンテンツ１２１０を受信する。
【００４３】
短縮された測定ギャップ１２０６または１２１２が、測定を実行するために十分な時間を与えないと、ＵＥが判断する場合、ＵＥは、ｅＭＢＭＳコンテンツを受信することよりも測定を実行することを優先させ得、測定を実行することよりもｅＭＢＭＳコンテンツを受信することを優先させ得、または、他の方法のうちの１つを実行することに戻り得る。
【００４４】
図１３は、周波数間／ＲＡＴ間測定とｅＭＢＭＳコンテンツの受信とを優先度付けするための第３の方法を示すための第１の図１３００である。本方法は、ＵＥによって実行され得る。第３の方法では、ＵＥは、ｅＭＢＭＳコンテンツのタイプと、サービングセルからの信号品質とを考慮して、周波数間／ＲＡＴ間測定を実行することと、ｅＭＢＭＳコンテンツを受信することとを、どのように優先度付けするかを判断し得る。ＵＥは、ｅＭＢＭＳ制御／システム情報（ＳＩＢ１３、ＭＣＣＨ変更の通知、ＭＣＣＨ、および／またはＭＳＩ）を高優先度として、ｅＭＢＭＳデータ（ＭＴＣＨ）を低優先度として優先度付けし得る。第３の方法によれば、ＵＥは、信号品質Ｓ（たとえば、リファレンス・シグナル受信電力（ＲＳＲＰ）またはリファレンス・シグナル受信品質（ＲＳＲＱ））を判断する。
【００４５】
Ｓが上側しきい値Ｈよりも大きい（Ｓ＞Ｈ）場合、ＵＥは、測定を実行することよりも、重複するｅＭＢＭＳ制御／システム情報と重複するｅＭＢＭＳデータの両方を受信することを優先させる。Ｓが上側しきい値Ｈ以下であるが、下側しきい値Ｌよりも大きい（Ｌ＜Ｓ≦Ｈ）場合、ＵＥは、測定を実行することよりも、重複するｅＭＢＭＳ制御／システム情報を受信することを優先させ、重複するｅＭＢＭＳデータを受信することよりも、測定を実行することを優先させる。したがって、測定ギャップがｅＭＢＭＳデータと重複するとき、ＵＥは測定を実行し、測定ギャップがｅＭＢＭＳ制御／システム情報と重複するとき、ＵＥはｅＭＢＭＳ制御／システム情報を受信する。ただし、ｅＭＢＭＳ制御／システム情報とｅＭＢＭＳデータの両方が測定ギャップと重複しており、ＵＥがｅＭＢＭＳデータを受信することを控えることにした場合に、測定を実行するために十分な時間を有することにならない場合、ＵＥはまた、重複するｅＭＢＭＳデータをも受信する。Ｓが下側しきい値Ｌ以下（Ｓ≦Ｌ）である場合、周波数間またはＲＡＴ間ハンドオーバの必要性が緊急であり得るので、ＵＥは、ｅＭＢＭＳ制御／システム情報および／またはｅＭＢＭＳデータを受信することよりも、測定を実行することを優先させる。
【００４６】
たとえば、図１３００に示すように、測定ギャップ１３０２において、ＵＥは、Ｓ＞Ｈであると判断するので、ＵＥは、１３０４で、測定を実行するのではなく、ｅＭＢＭＳ制御／システム情報を受信する。測定ギャップ１３０６において、ＵＥは、Ｌ＜Ｓ≦Ｈであると判断するので、ＵＥは、１３０８で、測定を実行するのではなく、ｅＭＢＭＳ制御／システム情報を受信する。測定ギャップ１３１０において、ＵＥは、Ｓ≦Ｌであると判断するので、ＵＥは、１３１２で、ｅＭＢＭＳ制御／システム情報を受信するのではなく、測定を実行する。測定ギャップ１３１４において、重複する／衝突するｅＭＢＭＳ制御／システム情報がないので、ＵＥは、１３１６で測定を実行する。
【００４７】
別の例では、図１３５０に示すように、測定ギャップ１３５２において、ＵＥは、Ｓ＞Ｈであると判断するので、ＵＥは、１３５４で、測定を実行するのではなく、ｅＭＢＭＳデータを受信する。測定ギャップ１３５６において、ＵＥは、Ｌ＜Ｓ≦Ｈであると判断するので、ＵＥは、１３５８で、ｅＭＢＭＳデータを受信するのではなく、測定を実行する。測定ギャップ１３６０において、ＵＥは、Ｓ≦Ｌであると判断するので、ＵＥは、１３６２で、ｅＭＢＭＳデータを受信するのではなく、測定を実行する。測定ギャップ１３６４において、重複する／衝突するｅＭＢＭＳデータがないので、ＵＥは、１３６６で測定を実行する。
【００４８】
図１４は、周波数間／ＲＡＴ間測定とｅＭＢＭＳコンテンツの受信とを優先度付けするための第３の方法を示すための第２の図１４００である。図１４に示すように、測定ギャップ１４０２では、ＵＥは、Ｓ＞Ｈであると判断し、したがって、ＵＥは、１４０４で、ｅＭＢＭＳ制御／システム情報とｅＭＢＭＳデータとを受信する。測定ギャップ１４０６では、ＵＥは、Ｌ＜Ｓ≦Ｈであると判断し、したがって、ＵＥは、１４０８で、ｅＭＢＭＳ制御／システム情報を受信する。ＵＥが、短縮された測定ギャップ１４０９において測定を実行することができる場合、ＵＥは、１４１０で、ｅＭＢＭＳデータを受信するのではなく、測定を実行する。ただし、ＵＥが、短縮された測定ギャップ１４０９において測定を実行することができない場合、ＵＥは、ｅＭＢＭＳデータを受信する。測定ギャップ１４１２では、ＵＥは、Ｓ≦Ｌであると判断するので、ＵＥは、１４１４で、ｅＭＢＭＳ制御／システム情報とｅＭＢＭＳデータとを受信するのではなく、測定を実行する。測定ギャップ１４１６では、重複するｅＭＢＭＳコンテンツがないので、ＵＥは、１４１８で測定を実行する。
【００４９】
図１５は、周波数間／ＲＡＴ間測定とｅＭＢＭＳコンテンツの受信とを優先度付けするための第４の方法を示すための図１５００である。本方法は、ＵＥによって実行され得る。第４の方法では、ＵＥは、ｅＭＢＭＳサービスがストリーミングのためであるか、ファイルダウンロードのためであるか、および、ユニキャストサービスがボイスオーバーＬＴＥ（ＶｏＬＴＥ）であるか、パケットデータサービスであるかに基づいて、ｅＭＢＭＳコンテンツを受信することと、測定を実行することとを優先度付けする。図１５８０に示すように、ユニキャストサービスがＶｏＬＴＥであるとき、ＵＥは、ストリーミングｅＭＢＭＳサービスとファイルダウンロードｅＭＢＭＳサービスの両方よりも、先に周波数間／ＲＡＴ間測定を優先させる。ユニキャストサービスがパケットデータサービスであるとき、ＵＥは、ファイルダウンロードｅＭＢＭＳサービスよりも、先に周波数間／ＲＡＴ間測定を優先させ、周波数間／ＲＡＴ間測定よりも、先にストリーミングｅＭＢＭＳサービスを優先させる。
【００５０】
たとえば、図１５００に示すように、ＵＥのユニキャストサービスがＶｏＬＴＥである間、ＵＥは、測定ギャップ１５０２中に周波数間／ＲＡＴ間測定を実行するために、測定ギャップ１５０２中にストリーミングｅＭＢＭＳサービス１５０４を受信することを控える。ＵＥのユニキャストサービスがＶｏＬＴＥである間、ＵＥは、測定ギャップ１５０６中に周波数間／ＲＡＴ間測定を実行するために、測定ギャップ１５０６中にファイルダウンロードｅＭＢＭＳサービス１５０８を受信することを控える。図１５５０に示すように、ＵＥのユニキャストサービスがパケットデータサービスである間、ＵＥは、測定ギャップ１５５２中にストリーミングｅＭＢＭＳサービス１５５４を受信するために、測定ギャップ１５５２中に周波数間／ＲＡＴ間測定を実行することを控える。最後に、ＵＥのユニキャストサービスがパケットデータサービスである間、ＵＥは、測定ギャップ１５５６中に周波数間／ＲＡＴ間測定を実行するために、測定ギャップ１５５６中にファイルダウンロードｅＭＢＭＳサービス１５５８を受信することを控える。
【００５１】
上記で説明した、これらの４つの方法の組合せが可能であり得る。たとえば、ＵＥは、Ｓが下側しきい値よりも大きい（Ｓ＞Ｌ）と判断されるときにのみ、ユニキャストサービスがパケットデータサービスであるとき、ストリーミングｅＭＢＭＳサービスを優先させてもよい。他の組合せも可能である。
【００５２】
図１６は、周波数間／ＲＡＴ間測定とマルチキャスト／ブロードキャストコンテンツの受信とを優先度付けするためのワイヤレス通信の第１、第２、第３、および第４の方法のフローチャート１６００である。本方法は、ＵＥによって実行され得る。図１６に示すように、ステップ１６０２で、ＵＥは、接続モードである間、ユニキャストサービスの測定ギャップ中に周波数間／ＲＡＴ間測定を実行するために、サービングセルから構成（configuration）を受信する。ステップ１６０４で、ＵＥは、測定の実行とマルチキャスト／ブロードキャストコンテンツの受信とをどのように優先度付けするかを判断する。ＵＥが、マルチキャスト／ブロードキャストコンテンツの受信よりも測定の実行を優先させる場合、ＵＥはステップ１６０６を実行し、測定ギャップ中に、第１の周波数上でサービングセルを離れ、近隣セルの第２の周波数上で測定を実行し、マルチキャスト／ブロードキャストサービスに関連付けられたマルチキャスト／ブロードキャストコンテンツを受信することを控える。ＵＥが、測定の実行よりもマルチキャスト／ブロードキャストコンテンツの受信を優先させる場合、ＵＥはステップ１６０８を実行し、測定ギャップ中に、マルチキャスト／ブロードキャストサービスに関連付けられたマルチキャスト／ブロードキャストコンテンツを受信するために、第１の周波数上でサービングセルを離れることと、近隣セルの第２の周波数上で測定を実行することとを控える。
【００５３】
図１７は、周波数間／ＲＡＴ間測定とマルチキャスト／ブロードキャストコンテンツの受信とを優先度付けするためのワイヤレス通信の第３の方法のフローチャート１７００である。本方法は、ＵＥによって実行され得る。この方法では、ＵＥは、サービングセルの信号品質Ｓ、ならびに、測定ギャップと、マルチキャスト／ブロードキャストコンテンツの制御／システム情報またはトラフィックデータのうちの少なくとも１つの受信との重複に基づいて、サービングセルを離れることと、測定を実行することとを控えるかどうかを判断する。ステップ１７０２で、ＵＥは、サービングセルの信号品質Ｓを判断し、信号品質Ｓを第１のしきい値Ｌおよび第２のしきい値Ｈと比較する。１７０６で、制御／システム情報またはトラフィックデータのうちの少なくとも１つの受信が測定ギャップと重複し、信号品質Ｓが第２のしきい値Ｈよりも大きい（Ｓ＞Ｈ）とき、ＵＥはステップ１７０８を実行し、測定ギャップ中に、サービングセルを離れることと、測定を実行することとを控える。ステップ１７１０で、ＵＥは、測定ギャップ中に、制御／システム情報またはトラフィックデータのうちの少なくとも１つを受信する。１７１２で、制御／システム情報の受信が測定ギャップと重複し、信号品質Ｓが第１のしきい値Ｌよりも大きく、第２のしきい値Ｈ以下（Ｌ＜Ｓ≦Ｈ）であるとき、ＵＥはステップ１７１４を実行し、測定ギャップ中に、サービングセルを離れることと、測定を実行することとを控える。ステップ１７１６で、ＵＥは、測定ギャップ中に制御／システム情報を受信する。１７１８で、トラフィックデータの受信が測定ギャップと重複し、信号品質Ｓが第１のしきい値Ｌよりも大きく、第２のしきい値Ｈ以下（Ｌ＜Ｓ≦Ｈ）であるとき、ＵＥはステップ１７２０を実行し、測定ギャップ中に、トラフィックデータを受信することを控える。ステップ１７２２で、ＵＥは、測定ギャップ中に、サービングセルを離れ、測定を実行する。
【００５４】
ただし、図１４に関して上記で説明したように、制御／システム情報とトラフィックデータの両方が測定ギャップと部分的に重複している場合、ＵＥは、制御／システム情報に対してステップ１７１４、１７１６を実行し、ＵＥが、短縮された測定ギャップ（すなわち、トラフィックデータと重複する測定ギャップの部分）中に測定を実行することができるときにのみ、ステップ１７２０、１７２２を実行し得る。ＵＥが、短縮された測定ギャップ中に測定を実行することができないとき、ＵＥは、短縮された測定ギャップ中にトラフィックデータを受信するために、短縮された測定ギャップ中に、サービングセルを離れることと、測定を実行することとを控え得る。
【００５５】
最後に、１７２４で、制御／システム情報またはトラフィックデータのうちの少なくとも１つの受信が測定ギャップと重複し、信号品質Ｓが第１のしきい値Ｌ以下（Ｓ≦Ｌ）であるとき、ＵＥはステップ１７２６を実行し、測定ギャップ中に、制御／システム情報またはトラフィックデータのうちの少なくとも１つを受信することを控える。ステップ１７２８で、ＵＥは、測定ギャップ中に、サービングセルを離れ、測定を実行する。
【００５６】
図１８は、周波数間／ＲＡＴ間測定とマルチキャスト／ブロードキャストコンテンツの受信とを優先度付けするためのワイヤレス通信の第４の方法のフローチャート１８００である。本方法は、ＵＥによって実行され得る。第４の方法では、ＵＥは、ユニキャストサービスのタイプ、またはマルチキャスト／ブロードキャストサービスのタイプのうちの少なくとも１つに基づいて、サービングセルを離れることと、測定を実行することとを控えるかどうかを判断する。図１８に示すように、ステップ１８０４で、ＵＥは、ユニキャストサービスのタイプがＶｏＬＴＥであるかどうかを判断する。１８０６で、ユニキャストサービスのタイプがＶｏＬＴＥサービスであるとき、ステップ１８０８で、ＵＥは、測定ギャップ中に、マルチキャスト／ブロードキャストコンテンツを受信することを控える。ステップ１８１０で、ＵＥは、測定ギャップ中に、サービングセルを離れ、測定を実行する。１８１２で、ユニキャストサービスのタイプがパケットデータサービスであるとき、ステップ１８１４で、ＵＥは、マルチキャスト／ブロードキャストサービスのタイプがファイルダウンロードサービスであるかどうかを判断する。１８１６で、マルチキャスト／ブロードキャストサービスのタイプがファイルダウンロードサービスである場合、ステップ１８１８で、ＵＥは、測定ギャップ中に、ファイルダウンロードサービスを受信することを控える。ステップ１８２０で、ＵＥは、測定ギャップ中に、サービングセルを離れ、測定を実行する。ただし、１８２２で、マルチキャスト／ブロードキャストサービスのタイプがストリーミングサービスである場合、ステップ１８２４で、ＵＥは、測定ギャップ中に、サービングセルを離れることと、測定を実行することとを控える。ステップ１８２６で、ＵＥは、測定ギャップ中にストリーミングサービスを受信する。
【００５７】
図１９は、周波数間／ＲＡＴ間測定とマルチキャスト／ブロードキャストコンテンツの受信とを優先度付けするためのワイヤレス通信の第２の方法のフローチャート１９００である。本方法は、ＵＥによって実行され得る。第２の方法では、ＵＥは、測定ギャップと、マルチキャスト／ブロードキャストコンテンツの制御／システム情報またはトラフィックデータのうちの少なくとも１つの受信との重複の時間期間に基づいて、サービングセルを離れることと、測定を実行することとを控えるかどうかを判断する。図１９に示すように、ステップ１９０２で、ＵＥは、測定ギャップがマルチキャスト／ブロードキャストコンテンツと重複すると判断する。ステップ１９０４で、ＵＥが、制御／システム情報が第１の部分上に及び、トラフィックデータが測定ギャップの第２の部分上に及び、第１の部分および第２の部分が合わせて所定の時間期間（たとえば、１ｍｓ）未満であるようになるかどうかを判断する。１９０６で、測定ギャップと、制御／システム情報およびトラフィックデータの受信との重複が、それぞれ、所定の時間期間未満である測定ギャップの第１の部分および第２の部分上に及ぶとき、ステップ１９０８で、ＵＥは、測定ギャップの第１の部分および第２の部分中に、サービングセルを離れることと、測定を実行することとを控える。ステップ１９１０で、ＵＥは、測定ギャップの第１の部分中に制御／システム情報を受信し、測定ギャップの第２の部分中にトラフィックデータを受信する。ステップ１９１２で、ＵＥは、測定ギャップの残っている部分中に、サービングセルを離れ、測定を実行する。
【００５８】
１９１４で、測定ギャップと、制御／システム情報およびトラフィックデータの受信との重複が、それぞれ、所定の時間期間よりも大きい測定ギャップの第１の部分および第２の部分上に及ぶとき、ステップ１９１６で、ＵＥは、測定ギャップの第１の部分が所定の時間期間未満であるかどうかを判断する。１９１８で、測定ギャップと制御／システム情報の受信との重複が、測定ギャップの第１の部分上に及び、測定ギャップとトラフィックデータの受信との重複が、測定ギャップの第２の部分上に及び、第１の部分および第２の部分が、所定の時間期間よりも大きく、第１の部分が、所定の時間期間未満であるとき、ステップ１９２０で、ＵＥは、測定ギャップの第１の部分中に、サービングセルを離れることと、測定を実行することとを控える。ステップ１９２２で、ＵＥは、測定ギャップの第１の部分中に、制御／システム情報を受信する。ステップ１９２４で、ＵＥは、測定ギャップの第２の部分中に、トラフィックデータを受信することを控える。ステップ１９２６で、ＵＥは、測定ギャップの第２の部分および残っている部分中に、サービングセルを離れ、測定を実行する。ただし、１９２８で、第１の部分が所定の時間期間よりも大きいとき、ステップ１９３０で、ＵＥは、測定ギャップ中に、サービングセルを離れ、測定を実行する。
【００５９】
図２０は、周波数間／ＲＡＴ間測定とマルチキャスト／ブロードキャストコンテンツの受信とを優先度付けするためのワイヤレス通信の第１の方法のフローチャート２０００である。本方法は、ＵＥによって実行され得る。図２０に示すように、ステップ２００２で、ＵＥは、周波数間／ＲＡＴ間測定を実行する。ステップ２００２で、ＵＥはまた、タイマーを開始させ得る。ステップ２００４で、ＵＥは、測定ギャップがマルチキャスト／ブロードキャストコンテンツと重複すると判断する。ステップ２００２で、ＵＥがタイマーを開始させた場合、ステップ２００６で、ＵＥは、タイマーが現在の測定ギャップ前に満了したかどうかを判断する。２０１４で、タイマーが満了した場合、ステップ２０１６で、ＵＥは、測定ギャップ中に、マルチキャスト／ブロードキャストコンテンツを受信することを控える。ステップ２０１８で、ＵＥは、測定ギャップ中に、サービングセルを離れ、測定を実行する。２００８で、タイマーが満了していないか、タイマーが開始されなかった場合、ステップ２０１０で、ＵＥは、測定ギャップ中に、サービングセルを離れることと、測定を実行することとを控える。ステップ２０１２で、ＵＥは、測定ギャップ中に、マルチキャスト／ブロードキャストコンテンツを受信する。
【００６０】
図２１は、例示的な装置１００中の異なるモジュール／手段／構成要素間のデータフローを示す概念データフロー図２１００である。装置１００は、接続モードである間、ユニキャストサービスの測定ギャップ中に周波数間／ＲＡＴ間測定を実行するために、サービングセル２１１８から構成２１１９を受信するように構成される、周波数間／ＲＡＴ間測定構成受信モジュール２１０２を含む。装置１００は、測定ギャップ中に、マルチキャスト／ブロードキャストサービスに関連付けられたマルチキャスト／ブロードキャストコンテンツ２１１２を受信するために、第１の周波数上でサービングセル２１１８を離れることと、近隣セル２１１６の第２の周波数上で測定２１１４を実行することとを控えるかどうかを判断するように構成される、周波数間／ＲＡＴ間測定およびｅＭＢＭＳコンテンツ優先度付けモジュール２１０６をさらに含む。装置１００は、測定ギャップ中に、近隣セル２１１６の第２の周波数上で周波数間／ＲＡＴ間測定２１１４を実行するように構成される、周波数間／ＲＡＴ間測定モジュール２１０８をさらに含む。装置１００は、ｅＭＢＭＳコンテンツ２１１２を受信するように構成される、ｅＭＢＭＳコンテンツ受信モジュール２１０４をさらに含む。周波数間／ＲＡＴ間測定およびｅＭＢＭＳコンテンツ優先度付けモジュール２１０６は、ｅＭＢＭＳコンテンツのタイミングに関係するｅＭＢＭＳコンテンツ受信モジュール２１０４からの情報を受信し、ｅＭＢＭＳコンテンツ２１１２が測定ギャップと重複するかどうかを判断する。周波数間／ＲＡＴ間測定およびｅＭＢＭＳコンテンツ優先度付けモジュール２１０６は、ｅＭＢＭＳコンテンツ２１１２を受信することと、周波数間／ＲＡＴ間測定２１１４の実行とをどのように優先度付けするかを判断し、その決定をｅＭＢＭＳコンテンツ受信モジュール２１０４と周波数間／ＲＡＴ間測定モジュール２１０８とに通信する。周波数間／ＲＡＴ間測定およびｅＭＢＭＳコンテンツ優先度付けモジュール２１０６は、上記で説明した第１、第２、第３および／または第４の方法のうちの少なくとも１つに基づいて、ｅＭＢＭＳコンテンツ２１１２を受信することと、周波数間／ＲＡＴ間測定２１１４の実行とを優先度付けするように構成され得る。第１の方法に関して、装置１００は、周波数間／ＲＡＴ間測定２１１４の実行時にタイマーを開始させ、周波数間／ＲＡＴ間測定およびｅＭＢＭＳコンテンツ優先度付けモジュール２１０６に、タイマーの満了を通知するように構成される、タイマーモジュール２１４０をさらに含み得る。
【００６１】
この装置は、上述のフローチャート中のアルゴリズムのステップの各々を実行する追加のモジュールを含み得る。したがって、上述のフローチャート中の各ステップは、１つのモジュールによって実行され得、装置は、それらのモジュールのうちの１つまたは複数を含み得る。それらのモジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００６２】
図２２は、処理システム２２１４を採用する装置１００’のためのハードウェア実装形態の一例を示す図２２００である。処理システム２２１４は、バス２２２４によって概略的に表されるバスアーキテクチャを用いて実装され得る。バス２２２４は、処理システム２２１４の特定の適用例および全体的な設計制約に応じて、任意の数の相互接続バスおよびブリッジを含み得る。バス２２２４は、プロセッサ２２０４、モジュール２１０２、２１０４、２１０６、２１０８、２１４０、およびコンピュータ可読媒体２２０６によって表される、１つまたは複数のプロセッサおよび／またはハードウェアモジュールを含む様々な回路を互いにリンクする。バス２２２４はまた、タイミングソース、周辺機器、電圧調整器、および電力管理回路など、様々な他の回路をリンクし得るが、これらの回路は当技術分野においてよく知られており、したがって、これ以上説明しない。
【００６３】
処理システム２２１４は、トランシーバ２２１０に結合され得る。トランシーバ２２１０は、１つまたは複数のアンテナ２２２０に結合される。トランシーバ２２１０は、伝送媒体を介して様々な他の装置と通信するための手段を与える。処理システム２２１４は、コンピュータ可読媒体２２０６に結合されたプロセッサ２２０４を含む。プロセッサ２２０４は、コンピュータ可読媒体２２０６に記憶されたソフトウェアの実行を含む一般的な処理を担当する。ソフトウェアは、プロセッサ２２０４によって実行されたとき、処理システム２２１４に、任意の特定の装置のための上記で説明した様々な機能を実行させる。コンピュータ可読媒体２２０６はまた、ソフトウェアを実行するときにプロセッサ２２０４によって操作されるデータを記憶するために使用され得る。処理システムは、モジュール２１０２、２１０４、２１０６、２１０８、および２１４０のうちの少なくとも１つをさらに含む。それらのモジュールは、プロセッサ２２０４中で動作するか、コンピュータ可読媒体２２０６中に常駐する／記憶されたソフトウェアモジュールであるか、プロセッサ２２０４に結合された１つまたは複数のハードウェアモジュールであるか、またはそれらの何らかの組合せであり得る。処理システム２２１４はＵＥ６５０の構成要素であってもよく、メモリ６６０、および／またはＴＸプロセッサ６６８とＲＸプロセッサ６５６とコントローラ／プロセッサ６５９とのうちの少なくとも１つを含み得る。
【００６４】
一構成では、ワイヤレス通信のための装置１００／１００’は、接続モードである間、ユニキャストサービスの測定ギャップ中に測定を実行するために、サービングセルから構成を受信するための手段を含む。この装置は、測定ギャップ中に、マルチキャスト／ブロードキャストサービスに関連付けられたマルチキャスト／ブロードキャストコンテンツを受信するために、第１の周波数上でサービングセルを離れることと、近隣セルの第２の周波数上で測定を実行することとを控えるかどうかを判断するための手段をさらに含む。この装置は、マルチキャスト／ブロードキャストコンテンツを受信するための手段と、周波数間／ＲＡＴ間測定を実行するための手段とをさらに含み得る。この装置は、先の測定時にタイマーを開始させるための手段をさらに含み得る。上述の手段は、上述の手段によって具陳される機能を実行するように構成された、装置１００、および／または装置１００’の処理システム２２１４の上述のモジュールのうちの１つまたは複数であり得る。上記で説明したように、処理システム２２１４は、ＴＸプロセッサ６６８と、ＲＸプロセッサ６５６と、コントローラ／プロセッサ６５９とを含み得る。したがって、一構成では、上述の手段は、上述の手段によって具陳された機能を実行するように構成されたＴＸプロセッサ６６８と、ＲＸプロセッサ６５６と、コントローラ／プロセッサ６５９とであり得る。
【００６５】
開示したプロセスにおけるステップの特定の順序または階層は、例示的な手法の一例であることを理解されたい。設計上の選好に基づいて、プロセスにおけるステップの特定の順序または階層は並べ替えることができることを理解されたい。さらに、いくつかのステップは組み合わせられるかまたは省略され得る。添付の方法クレームは、様々なステップの要素を例示的な順序で提示したものであり、提示された特定の順序または階層に限定されるものではない。
【００６６】
以上の説明は、本明細書で説明した様々な態様を当業者が実施できるようにするために提供したものである。これらの態様に対する様々な変更は当業者には容易に明らかであり、本明細書で定義した一般的原理は他の態様に適用され得る。したがって、特許請求の範囲は、本明細書に示された態様に限定されるものではなく、特許請求の範囲の文言に矛盾しない最大限の範囲を与えられるべきであり、単数形の要素への言及は、そのように明記されていない限り、「ただ１つの」を意味するものではなく、「１つまたは複数の」を意味するものである。別段に明記されていない限り、「いくつかの」という用語は「１つまたは複数の」を指す。当業者に知られている、または後に知られることになる、本開示全体にわたって説明した様々な態様の要素のすべての構造的および機能的等価物は、参照により本明細書に明確に組み込まれ、特許請求の範囲に包含されるものである。その上、本明細書に開示したいかなることも、そのような開示が特許請求の範囲に明確に具陳されているかどうかにかかわらず、公に供するものではない。いかなるクレーム要素も、その要素が「のための手段」という語句を使用して明確に具陳されていない限り、ミーンズプラスファンクションとして解釈されるべきではない。
以下に、本願出願の当初の特許請求の範囲に記載された発明を付記する。
［Ｃ１］
ワイヤレス通信の方法であって、
接続モードである間、ユニキャストサービスの測定ギャップ中に測定を実行するために、サービングセルから構成を受信することと、および、
前記測定ギャップ中に、マルチキャスト／ブロードキャストサービスに関連付けられたマルチキャスト／ブロードキャストコンテンツを受信するために、第１の周波数上で前記サービングセルを離れることと、近隣セルの第２の周波数上で前記測定を実行することとを控えるかどうかを判断することと、
を備える方法。
［Ｃ２］
前記サービングセルを離れることと、前記測定を実行することとを控えるかどうかの前記判断が、前記サービングセルの信号品質、ならびに、前記測定ギャップと、前記マルチキャスト／ブロードキャストコンテンツの制御／システム情報またはトラフィックデータのうちの少なくとも１つの受信との重複に基づく、Ｃ１に記載の方法。
［Ｃ３］
前記制御／システム情報または前記トラフィックデータのうちの前記少なくとも１つの前記受信が、前記測定ギャップと重複し、および、前記信号品質がしきい値よりも大きいとき、
前記測定ギャップ中に、前記サービングセルを離れることと、前記測定を実行することとを控えることと、および、
前記測定ギャップ中に、前記制御／システム情報または前記トラフィックデータのうちの前記少なくとも１つを受信することと、
をさらに備える、Ｃ２に記載の方法。
［Ｃ４］
前記制御／システム情報の前記受信が前記測定ギャップと重複し、および、前記信号品質が第１のしきい値よりも大きく、第２のしきい値以下であるとき、
前記測定ギャップ中に、前記サービングセルを離れることと、前記測定を実行することとを控えることと、
前記測定ギャップ中に、前記制御／システム情報を受信することと、
をさらに備える、Ｃ２に記載の方法。
［Ｃ５］
前記トラフィックデータの前記受信が前記測定ギャップと重複し、および、前記信号品質が第１のしきい値よりも大きく、第２のしきい値以下であるとき、
前記測定ギャップ中に、前記トラフィックデータを受信することを控えることと、および、
前記測定ギャップ中に、前記サービングセルを離れ、前記測定を実行することと、
をさらに備える、Ｃ２に記載の方法。
［Ｃ６］
前記制御／システム情報または前記トラフィックデータのうちの前記少なくとも１つの前記受信が、前記測定ギャップと重複し、および、前記信号品質がしきい値以下であるとき、
前記測定ギャップ中に、前記制御／システム情報または前記トラフィックデータのうちの前記少なくとも１つを受信することを控えることと、および、
前記測定ギャップ中に、前記サービングセルを離れ、前記測定を実行することと、
をさらに備える、Ｃ２に記載の方法。
［Ｃ７］
前記サービングセルを離れることと、前記測定を実行することとを控えるかどうかの前記判断が、前記ユニキャストサービスのタイプ、または前記マルチキャスト／ブロードキャストサービスのタイプのうちの少なくとも１つに基づく、Ｃ１に記載の方法。
［Ｃ８］
前記ユニキャストサービスのタイプがボイスオーバーロングタームエボリューション（ＬＴＥ）サービスであるとき、
前記測定ギャップ中に、前記マルチキャスト／ブロードキャストコンテンツを受信することを控えることと、および、
前記測定ギャップ中に、前記サービングセルを離れ、前記測定を実行することと、
をさらに備える、Ｃ７に記載の方法。
［Ｃ９］
前記ユニキャストサービスのタイプがパケットデータサービスであり、前記マルチキャスト／ブロードキャストサービスのタイプがファイルダウンロードサービスであるとき、
前記測定ギャップ中に、前記ファイルダウンロードサービスを受信することを控えることと、および、
前記測定ギャップ中に、前記サービングセルを離れ、前記測定を実行することと、
をさらに備える、Ｃ７に記載の方法。
［Ｃ１０］
前記ユニキャストサービスのタイプがパケットデータサービスであり、前記マルチキャスト／ブロードキャストサービスのタイプがストリーミングサービスであるとき、
前記測定ギャップ中に、前記サービングセルを離れることと、前記測定を実行することとを控えることと、および、
前記測定ギャップ中に、前記ストリーミングサービスを受信することと、
をさらに備える、Ｃ７に記載の方法。
［Ｃ１１］
前記サービングセルを離れることと、前記測定を実行することとを控えるかどうかの前記判断が、前記測定ギャップと、前記マルチキャスト／ブロードキャストコンテンツの制御／システム情報またはトラフィックデータのうちの少なくとも１つの受信との重複の時間期間に基づく、Ｃ１に記載の方法。
［Ｃ１２］
前記測定ギャップと、前記制御／システム情報および前記トラフィックデータの前記受信との前記重複が、所定の時間期間未満の前記測定ギャップの一部分上に及ぶとき、
前記測定ギャップの前記部分中に、前記サービングセルを離れることと、前記測定を実行することとを控えることと、
前記測定ギャップの前記部分中に、前記制御／システム情報と前記トラフィックデータとを受信することと、
前記測定ギャップの残っている部分中に、前記サービングセルを離れ、前記測定を実行することと、
をさらに備える、Ｃ１１に記載の方法。
［Ｃ１３］
前記測定ギャップと前記制御／システム情報の前記受信との前記重複が、前記測定ギャップの第１の部分上に及び、前記測定ギャップと前記トラフィックデータの前記受信との前記重複が、前記測定ギャップの第２の部分上に及び、前記第１の部分および前記第２の部分が、所定の時間期間よりも大きく、前記第１の部分が、前記時間期間未満であるとき、
前記測定ギャップの前記第１の部分中に、前記サービングセルを離れることと、前記測定を実行することとを控えることと、
前記測定ギャップの前記第１の部分中に、前記制御／システム情報を受信することと、
前記測定ギャップの前記第２の部分中に、前記トラフィックデータを受信することを控えることと、
前記測定ギャップの前記第２の部分および残っている部分中に、前記サービングセルを離れ、前記測定を実行することと、
をさらに備える、Ｃ１１に記載の方法。
［Ｃ１４］
前記マルチキャスト／ブロードキャストコンテンツの前記受信が、前記測定ギャップと重複するとき、
前記測定ギャップ中に、前記サービングセルを離れることと、前記測定を実行することとを控えることと、
前記測定ギャップ中に、前記マルチキャスト／ブロードキャストコンテンツを受信することと、
をさらに備える、Ｃ１に記載の方法。
［Ｃ１５］
前記サービングセルを離れることと、前記測定を実行することとを控えるかどうかの前記判断が、タイマーに基づく、Ｃ１に記載の方法。
［Ｃ１６］
先の測定時に前記タイマーを開始させることをさらに備え、
ここにおいて、前記マルチキャスト／ブロードキャストコンテンツの前記受信が、前記測定ギャップと重複し、前記タイマーが満了していないとき、前記方法が、
前記測定ギャップ中に、前記サービングセルを離れることと、前記測定を実行することとを控えることと、および、
前記測定ギャップ中に、前記マルチキャスト／ブロードキャストコンテンツを受信することと、
ここにおいて、前記マルチキャスト／ブロードキャストコンテンツの前記受信が、前記測定ギャップと重複し、前記タイマーが満了したとき、前記方法が、
前記測定ギャップ中に、前記マルチキャスト／ブロードキャストコンテンツを受信することを控えることと、および、
前記測定ギャップ中に、前記サービングセルを離れ、前記測定を実行することと、
をさらに備える、Ｃ１５に記載の方法。
［Ｃ１７］
ワイヤレス通信のための装置であって、
接続モードである間、ユニキャストサービスの測定ギャップ中に測定を実行するために、サービングセルから構成を受信するための手段と、
前記測定ギャップ中に、マルチキャスト／ブロードキャストサービスに関連付けられたマルチキャスト／ブロードキャストコンテンツを受信するために、第１の周波数上で前記サービングセルを離れることと、近隣セルの第２の周波数上で前記測定を実行することとを控えるかどうかを判断するための手段と、
を備える装置。
［Ｃ１８］
前記サービングセルを離れることと、前記測定を実行することとを控えるかどうかの前記判断が、前記サービングセルの信号品質、ならびに、前記測定ギャップと、前記マルチキャスト／ブロードキャストコンテンツの制御／システム情報またはトラフィックデータのうちの少なくとも１つの受信との重複に基づく、Ｃ１７に記載の装置。
［Ｃ１９］
前記装置が、マルチキャスト／ブロードキャストコンテンツを受信するための手段と、周波数間／ＲＡＴ間測定を実行するための手段とをさらに備え、ここにおいて、前記制御／システム情報または前記トラフィックデータのうちの前記少なくとも１つの前記受信が、前記測定ギャップと重複し、前記信号品質がしきい値よりも大きいとき、周波数間／ＲＡＴ間測定を実行するための前記手段が、前記測定ギャップ中に、前記サービングセルを離れることと、前記測定を実行することとを控えるように構成され、および、マルチキャスト／ブロードキャストコンテンツを受信するための前記手段が、前記測定ギャップ中に、前記制御／システム情報または前記トラフィックデータのうちの前記少なくとも１つを受信するように構成される、Ｃ１８に記載の装置。
［Ｃ２０］
前記装置が、マルチキャスト／ブロードキャストコンテンツを受信するための手段と、周波数間／ＲＡＴ間測定を実行するための手段とをさらに備え、ここにおいて、前記制御／システム情報の前記受信が前記測定ギャップと重複し、前記信号品質が第１のしきい値よりも大きく、第２のしきい値以下であるとき、周波数間／ＲＡＴ間測定を実行するための前記手段が、前記測定ギャップ中に、前記サービングセルを離れることと、前記測定を実行することとを控えるように構成され、および、マルチキャスト／ブロードキャストコンテンツを受信するための前記手段が、前記測定ギャップ中に、前記制御／システム情報を受信するように構成される、Ｃ１８に記載の装置。
［Ｃ２１］
前記装置が、マルチキャスト／ブロードキャストコンテンツを受信するための手段と、周波数間／ＲＡＴ間測定を実行するための手段とをさらに備え、ここにおいて、前記トラフィックデータの前記受信が前記測定ギャップと重複し、前記信号品質が第１のしきい値よりも大きく、第２のしきい値以下であるとき、マルチキャスト／ブロードキャストコンテンツを受信するための前記手段が、前記測定ギャップ中に、前記トラフィックデータを受信することを控えるように構成され、および、周波数間／ＲＡＴ間測定を実行するための前記手段が、前記測定ギャップ中に、前記サービングセルを離れ、前記測定を実行するように構成される、Ｃ１８に記載の装置。
［Ｃ２２］
前記装置が、マルチキャスト／ブロードキャストコンテンツを受信するための手段と、周波数間／ＲＡＴ間測定を実行するための手段とをさらに備え、ここにおいて、前記制御／システム情報または前記トラフィックデータのうちの前記少なくとも１つの前記受信が、前記測定ギャップと重複し、前記信号品質がしきい値以下であるとき、マルチキャスト／ブロードキャストコンテンツを受信するための前記手段が、前記測定ギャップ中に、前記制御／システム情報または前記トラフィックデータのうちの前記少なくとも１つを受信することを控えるように構成され、および、周波数間／ＲＡＴ間測定を実行するための前記手段が、前記測定ギャップ中に、前記サービングセルを離れ、前記測定を実行するように構成される、Ｃ１８に記載の装置。
［Ｃ２３］
前記サービングセルを離れることと、前記測定を実行することとを控えるかどうかの前記判断が、前記ユニキャストサービスのタイプ、または前記マルチキャスト／ブロードキャストサービスのタイプのうちの少なくとも１つに基づく、Ｃ１７に記載の装置。
［Ｃ２４］
前記装置が、マルチキャスト／ブロードキャストコンテンツを受信するための手段と、周波数間／ＲＡＴ間測定を実行するための手段とをさらに備え、ここにおいて、前記ユニキャストサービスのタイプがボイスオーバーロングタームエボリューション（ＬＴＥ）サービスであるとき、マルチキャスト／ブロードキャストコンテンツを受信するための前記手段が、前記測定ギャップ中に、前記マルチキャスト／ブロードキャストコンテンツを受信することを控えるように構成され、および、周波数間／ＲＡＴ間測定を実行するための前記手段が、前記測定ギャップ中に、前記サービングセルを離れ、前記測定を実行するように構成される、Ｃ２３に記載の装置。
［Ｃ２５］
前記装置が、マルチキャスト／ブロードキャストコンテンツを受信するための手段と、周波数間／ＲＡＴ間測定を実行するための手段とをさらに備え、ここにおいて、前記ユニキャストサービスのタイプがパケットデータサービスであり、前記マルチキャスト／ブロードキャストサービスのタイプがファイルダウンロードサービスであるとき、マルチキャスト／ブロードキャストコンテンツを受信するための前記手段が、前記測定ギャップ中に、前記ファイルダウンロードサービスを受信することを控えるように構成され、および、周波数間／ＲＡＴ間測定を実行するための前記手段が、前記測定ギャップ中に、前記サービングセルを離れ、前記測定を実行するように構成される、Ｃ２３に記載の装置。
［Ｃ２６］
前記装置が、マルチキャスト／ブロードキャストコンテンツを受信するための手段と、周波数間／ＲＡＴ間測定を実行するための手段とをさらに備え、ここにおいて、前記ユニキャストサービスのタイプがパケットデータサービスであり、前記マルチキャスト／ブロードキャストサービスのタイプがストリーミングサービスであるとき、前記周波数間／ＲＡＴ間測定を実行するための前記手段が、前記測定ギャップ中に、前記サービングセルを離れることと、前記測定を実行することとを控えるように構成され、および、マルチキャスト／ブロードキャストコンテンツを受信するための前記手段が、前記測定ギャップ中に、前記ストリーミングサービスを受信するように構成される、Ｃ２３に記載の装置。
［Ｃ２７］
前記サービングセルを離れることと、前記測定を実行することとを控えるかどうかの前記判断が、前記測定ギャップと、前記マルチキャスト／ブロードキャストコンテンツの制御／システム情報またはトラフィックデータのうちの少なくとも１つの受信との重複の時間期間に基づく、Ｃ１７に記載の装置。
［Ｃ２８］
前記装置が、マルチキャスト／ブロードキャストコンテンツを受信するための手段と、周波数間／ＲＡＴ間測定を実行するための手段とをさらに備え、ここにおいて、前記測定ギャップと、前記制御／システム情報および前記トラフィックデータの前記受信との前記重複が、所定の時間期間未満の前記測定ギャップの一部分上に及ぶとき、周波数間／ＲＡＴ間測定を実行するための前記手段が、前記測定ギャップの前記部分中に、前記サービングセルを離れることと、前記測定を実行することとを控えるように構成され、マルチキャスト／ブロードキャストコンテンツを受信するための前記手段が、前記測定ギャップの前記部分中に、前記制御／システム情報と前記トラフィックデータとを受信するように構成され、および、周波数間／ＲＡＴ間測定を実行するための前記手段が、前記測定ギャップの残っている部分中に、前記サービングセルを離れ、前記測定を実行するように構成される、Ｃ２７に記載の装置。
［Ｃ２９］
前記装置が、マルチキャスト／ブロードキャストコンテンツを受信するための手段と、周波数間／ＲＡＴ間測定を実行するための手段とをさらに備え、ここにおいて、前記測定ギャップと前記制御／システム情報の前記受信との前記重複が、前記測定ギャップの第１の部分上に及び、前記測定ギャップと前記トラフィックデータの前記受信との前記重複が、前記測定ギャップの第２の部分上に及び、前記第１の部分および前記第２の部分が、ある時間期間よりも大きく、前記第１の部分が、前記時間期間未満であるとき、周波数間／ＲＡＴ間測定を実行するための前記手段が、前記測定ギャップの前記第１の部分中に、前記サービングセルを離れることと、前記測定を実行することとを控えるように構成され、マルチキャスト／ブロードキャストコンテンツを受信するための前記手段が、前記測定ギャップの前記第１の部分中に、前記制御／システム情報を受信するように構成され、マルチキャスト／ブロードキャストコンテンツを受信するための前記手段が、前記測定ギャップの前記第２の部分中に、前記トラフィックデータを受信することを控えるように構成され、および、周波数間／ＲＡＴ間測定を実行するための前記手段が、前記測定ギャップの前記第２の部分および残っている部分中に、前記サービングセルを離れ、前記測定を実行するように構成される、Ｃ２７に記載の装置。
［Ｃ３０］
前記装置が、マルチキャスト／ブロードキャストコンテンツを受信するための手段と、周波数間／ＲＡＴ間測定を実行するための手段とをさらに備え、ここにおいて、前記マルチキャスト／ブロードキャストコンテンツの前記受信が、前記測定ギャップと重複するとき、周波数間／ＲＡＴ間測定を実行するための前記手段が、前記測定ギャップ中に、前記サービングセルを離れることと、前記測定を実行することとを控えるように構成され、および、マルチキャスト／ブロードキャストコンテンツを受信するための前記手段が、前記測定ギャップ中に、前記マルチキャスト／ブロードキャストコンテンツを受信するように構成される、Ｃ１７に記載の装置。
［Ｃ３１］
前記サービングセルを離れることと、前記測定を実行することとを控えるかどうかの前記判断が、タイマーに基づく、Ｃ１７に記載の装置。
［Ｃ３２］
前記装置が、マルチキャスト／ブロードキャストコンテンツを受信するための手段と、周波数間／ＲＡＴ間測定を実行するための手段と、および、先の測定時に前記タイマーを開始させるための手段とをさらに備え、
ここにおいて、前記マルチキャスト／ブロードキャストコンテンツの前記受信が、前記測定ギャップと重複し、および、前記タイマーが満了していないとき、周波数間／ＲＡＴ間測定を実行するための前記手段が、前記測定ギャップ中に、前記サービングセルを離れることと、前記測定を実行することとを控えるように構成され、マルチキャスト／ブロードキャストコンテンツを受信するための前記手段が、前記測定ギャップ中に、前記マルチキャスト／ブロードキャストコンテンツを受信するように構成され、
ここにおいて、前記マルチキャスト／ブロードキャストコンテンツの前記受信が、前記測定ギャップと重複し、前記タイマーが満了したとき、マルチキャスト／ブロードキャストコンテンツを受信するための前記手段が、前記測定ギャップ中に、前記マルチキャスト／ブロードキャストコンテンツを受信することを控えるように構成され、周波数間／ＲＡＴ間測定を実行するための前記手段が、前記測定ギャップ中に、前記サービングセルを離れ、前記測定を実行するように構成される、
Ｃ３１に記載の装置。
［Ｃ３３］
ワイヤレス通信のための装置であって、
処理システムを備え、前記処理システムは、
接続モードである間、ユニキャストサービスの測定ギャップ中に測定を実行するために、サービングセルから構成を受信することと、および、
前記測定ギャップ中に、マルチキャスト／ブロードキャストサービスに関連付けられたマルチキャスト／ブロードキャストコンテンツを受信するために、第１の周波数上で前記サービングセルを離れることと、近隣セルの第２の周波数上で前記測定を実行することとを控えるかどうかを判断することと、
を行うように構成される、装置。
［Ｃ３４］
前記サービングセルを離れることと、前記測定を実行することとを控えるかどうかの前記判断が、前記サービングセルの信号品質、ならびに、前記測定ギャップと、前記マルチキャスト／ブロードキャストコンテンツの制御／システム情報またはトラフィックデータのうちの少なくとも１つの受信との重複に基づく、Ｃ３３に記載の装置。
［Ｃ３５］
前記制御／システム情報または前記トラフィックデータのうちの前記少なくとも１つの前記受信が、前記測定ギャップと重複し、および、前記信号品質がしきい値よりも大きいとき、前記処理システムが、
前記測定ギャップ中に、前記サービングセルを離れることと、前記測定を実行することとを控えることと、および、
前記測定ギャップ中に、前記制御／システム情報または前記トラフィックデータのうちの前記少なくとも１つを受信することと、
を行うようにさらに構成される、Ｃ３４に記載の装置。
［Ｃ３６］
前記制御／システム情報の前記受信が前記測定ギャップと重複し、前記信号品質が第１のしきい値よりも大きく、第２のしきい値以下であるとき、前記処理システムが、
前記測定ギャップ中に、前記サービングセルを離れることと、前記測定を実行することとを控えることと、および、
前記測定ギャップ中に、前記制御／システム情報を受信することと、
を行うようにさらに構成される、Ｃ３４に記載の装置。
［Ｃ３７］
前記トラフィックデータの前記受信が前記測定ギャップと重複し、前記信号品質が第１のしきい値よりも大きく、第２のしきい値以下であるとき、前記処理システムが、
前記測定ギャップ中に、前記トラフィックデータを受信することを控えることと、および、
前記測定ギャップ中に、前記サービングセルを離れ、前記測定を実行することと、
を行うようにさらに構成される、Ｃ３４に記載の装置。
［Ｃ３８］
前記制御／システム情報または前記トラフィックデータのうちの前記少なくとも１つの前記受信が、前記測定ギャップと重複し、前記信号品質がしきい値以下であるとき、前記処理システムが、
前記測定ギャップ中に、前記制御／システム情報または前記トラフィックデータのうちの前記少なくとも１つを受信することを控えることと、および、
前記測定ギャップ中に、前記サービングセルを離れ、前記測定を実行することと、
を行うようにさらに構成される、Ｃ３４に記載の装置。
［Ｃ３９］
前記サービングセルを離れることと、前記測定を実行することとを控えるかどうかの前記判断が、前記ユニキャストサービスのタイプ、または前記マルチキャスト／ブロードキャストサービスのタイプのうちの少なくとも１つに基づく、Ｃ３３に記載の装置。
［Ｃ４０］
前記ユニキャストサービスのタイプがボイスオーバーロングタームエボリューション（ＬＴＥ）サービスであるとき、前記処理システムが、
前記測定ギャップ中に、前記マルチキャスト／ブロードキャストコンテンツを受信することを控えることと、および、
前記測定ギャップ中に、前記サービングセルを離れ、前記測定を実行することと、
を行うようにさらに構成される、Ｃ３９に記載の装置。
［Ｃ４１］
前記ユニキャストサービスのタイプがパケットデータサービスであり、前記マルチキャスト／ブロードキャストサービスのタイプがファイルダウンロードサービスであるとき、前記処理システムが、
前記測定ギャップ中に、前記ファイルダウンロードサービスを受信することを控えることと、および、
前記測定ギャップ中に、前記サービングセルを離れ、前記測定を実行することと、
を行うようにさらに構成される、Ｃ３９に記載の装置。
［Ｃ４２］
前記ユニキャストサービスのタイプがパケットデータサービスであり、前記マルチキャスト／ブロードキャストサービスのタイプがストリーミングサービスであるとき、前記処理システムが、
前記測定ギャップ中に、前記サービングセルを離れることと、前記測定を実行することとを控えることと、および、
前記測定ギャップ中に、前記ストリーミングサービスを受信することと
を行うようにさらに構成される、Ｃ３９に記載の装置。
［Ｃ４３］
前記サービングセルを離れることと、前記測定を実行することとを控えるかどうかの前記判断が、前記測定ギャップと、前記マルチキャスト／ブロードキャストコンテンツの制御／システム情報またはトラフィックデータのうちの少なくとも１つの受信との重複の時間期間に基づく、Ｃ３３に記載の装置。
［Ｃ４４］
前記測定ギャップと、前記制御／システム情報および前記トラフィックデータの前記受信との前記重複が、所定の時間期間未満の前記測定ギャップの一部分上に及ぶとき、前記処理システムが、
前記測定ギャップの前記部分中に、前記サービングセルを離れることと、前記測定を実行することとを控えることと、
前記測定ギャップの前記部分中に、前記制御／システム情報と前記トラフィックデータとを受信することと、および、
前記測定ギャップの残っている部分中に、前記サービングセルを離れ、前記測定を実行することと、
を行うようにさらに構成される、Ｃ４３に記載の装置。
［Ｃ４５］
前記測定ギャップと前記制御／システム情報の前記受信との前記重複が、前記測定ギャップの第１の部分上に及び、前記測定ギャップと前記トラフィックデータの前記受信との前記重複が、前記測定ギャップの第２の部分上に及び、前記第１の部分および前記第２の部分が、所定の時間期間よりも大きく、前記第１の部分が、前記時間期間未満であるとき、前記処理システムが、
前記測定ギャップの前記第１の部分中に、前記サービングセルを離れることと、前記測定を実行することとを控えることと、
前記測定ギャップの前記第１の部分中に、前記制御／システム情報を受信することと、
前記測定ギャップの前記第２の部分中に、前記トラフィックデータを受信することを控えることと、および、
前記測定ギャップの前記第２の部分および残っている部分中に、前記サービングセルを離れ、前記測定を実行することと、
を行うようにさらに構成される、Ｃ４３に記載の装置。
［Ｃ４６］
前記マルチキャスト／ブロードキャストコンテンツの前記受信が、前記測定ギャップと重複するとき、前記処理システムが、
前記測定ギャップ中に、前記サービングセルを離れることと、前記測定を実行することとを控えることと、および、
前記測定ギャップ中に、前記マルチキャスト／ブロードキャストコンテンツを受信することと、
を行うようにさらに構成される、Ｃ３３に記載の装置。
［Ｃ４７］
前記サービングセルを離れることと、前記測定を実行することとを控えるかどうかの前記判断が、タイマーに基づく、Ｃ３３に記載の装置。
［Ｃ４８］
先の測定時に前記タイマーを開始させることをさらに備え、
ここにおいて、前記マルチキャスト／ブロードキャストコンテンツの前記受信が、前記測定ギャップと重複し、前記タイマーが満了していないとき、前記処理システムが、
前記測定ギャップ中に、前記サービングセルを離れることと、前記測定を実行することとを控えることと、および、
前記測定ギャップ中に、前記マルチキャスト／ブロードキャストコンテンツを受信することと、
を行うようにさらに構成され、
ここにおいて、前記マルチキャスト／ブロードキャストコンテンツの前記受信が、前記測定ギャップと重複し、前記タイマーが満了したとき、前記処理システムが、
前記測定ギャップ中に、前記マルチキャスト／ブロードキャストコンテンツを受信することを控えることと、および、
前記測定ギャップ中に、前記サービングセルを離れ、前記測定を実行することと、
を行うようにさらに構成される、
Ｃ４７に記載の装置。
［Ｃ４９］
コンピュータプログラム製品であって、
コンピュータ可読媒体を備え、前記コンピュータ可読媒体は、
接続モードである間、ユニキャストサービスの測定ギャップ中に測定を実行するために、サービングセルから構成を受信するためのコードと、および、
前記測定ギャップ中に、マルチキャスト／ブロードキャストサービスに関連付けられたマルチキャスト／ブロードキャストコンテンツを受信するために、第１の周波数上で前記サービングセルを離れることと、近隣セルの第２の周波数上で前記測定を実行することとを控えるかどうかを判断するためのコードと、
を備える、コンピュータプログラム製品。
【図１】
0005855764.tif 000002
【図２】
0005855764.tif 000003
【図３】
0005855764.tif 000004
【図４】
0005855764.tif 000005
【図５】
0005855764.tif 000006
【図６】
0005855764.tif 000007
【図７】
0005855764.tif 000008
【図８】
0005855764.tif 000009
【図９】
0005855764.tif 000010
【図１０】
0005855764.tif 000011
【図１１】
0005855764.tif 000012
【図１２】
0005855764.tif 000013
【図１５】
0005855764.tif 000014
【図１６】
0005855764.tif 000015
【図１７】
0005855764.tif 000016
【図１８】
0005855764.tif 000017
【図１９】
0005855764.tif 000018
【図２０】
0005855764.tif 000019
【図２１】
0005855764.tif 000020
【図２２】
0005855764.tif 000021
【図１３】
0005855764.tif 000022
【図１４】
0005855764.tif 000023